(57)【要約】【課題】調光制御及び調色制御の少なくとも一方を容易に行うことができる照明システムを提供する。【解決手段】照明システム１は、照明制御装置３と照明器具５とを備える。照明制御装置３は、交流電圧の半波の少なくとも後側を切り欠くスイッチ部３２を備える。スイッチ部３２は、制御信号設定区間において、切り欠きパターンに応じて、交流電圧の半波のうちの少なくとも１つの半波の前側及び後側を切り欠く。照明器具５は、点灯電力供給部６と信号生成部７とを備える。信号生成部７には、切り欠きパターンを示す情報が伝達される。信号生成部７は、切り欠きパターンに対応する制御信号１４０ａ、１４０ｂを生成する。制御信号１４０ａ、１４０ｂによって、点灯電力供給部６の動作が制御される。【選択図】図１
2017183169.tif 000002
【特許請求の範囲】
【請求項１】
照明制御装置と照明器具とを備える照明システムであって、
前記照明制御装置は、
外部電源の一端に接続する入力端子と、
前記外部電源から供給された交流電圧に基づいて電力を生成する電源部と、
切り欠きパターンを記憶する記憶部と、
前記交流電圧の半波の少なくとも後側を切り欠くスイッチ部と、
前記スイッチ部を通過した前記交流電圧を出力する出力端子と
を備え、前記スイッチ部は、制御信号設定区間において、前記切り欠きパターンに応じて、前記半波のうちの少なくとも１つの半波の前側及び後側を切り欠き、
前記照明器具は、
前記出力端子に接続する第１入力端子と、
前記外部電源の他端に接続する第２入力端子と、
点灯負荷に電力を供給する点灯電力供給部と、
前記点灯電力供給部の動作を制御する制御信号を生成する信号生成部と
を備え、
前記スイッチ部が、前記切り欠きパターンに応じて前記交流電圧の半波を切り欠くことにより、前記切り欠きパターンを示す情報が前記信号生成部へ伝達され、
前記信号生成部は、前記切り欠きパターンに対応する前記制御信号を生成する、照明システム。
【請求項２】
前記点灯負荷は、互いに光色の異なる光を出射する複数色の照明素子を含み、
前記複数色の照明素子の各々から出射される光が混光されて、前記照明器具から任意の光色の光が出射される、請求項１に記載の照明システム。
【請求項３】
前記切り欠きパターンは、光色を示す切り欠きパターンを含み、
前記制御信号によって、前記複数色の照明素子に流れる電流が制御されて、前記点灯負荷から発生する光の光色が調節される、請求項２に記載の照明システム。
【請求項４】
前記切り欠きパターンは、光量を示す切り欠きパターンを含み、
前記制御信号によって、前記複数色の照明素子に流れる電流が制御されて、前記点灯負荷から発生する光の光量が調節される、請求項２又は３に記載の照明システム。
【請求項５】
前記点灯負荷は、照明素子を含み、
前記切り欠きパターンは、光量を示す切り欠きパターンを含み、
前記制御信号によって、前記照明素子に流れる電流が制御されて、前記点灯負荷から発生する光の光量が調節される、請求項１に記載の照明システム。
【請求項６】
前記照明器具を複数備え、
複数の前記照明器具が並列接続されており、かつ、前記照明器具の各々にアドレスが設定されており、
前記照明器具の各々の前記信号生成部は、前記切り欠きパターンが自己のアドレスと同一のアドレスを示すか否かを判定する、請求項１〜５のいずれか１項に記載の照明システム。
【請求項７】
照明器具が備える２つの入力端子のうちの一方の入力端子に接続する照明制御装置であって、
外部電源の一端に接続する入力端子と、
前記外部電源から供給される交流電圧に基づいて電力を生成する電源部と、
切り欠きパターンを記憶する記憶部と、
前記交流電圧の半波の少なくとも後側を切り欠くスイッチ部と、
前記照明器具の前記一方の入力端子に接続する出力端子と
を備え、前記スイッチ部は、制御信号設定区間において、前記切り欠きパターンに応じて、前記半波のうちの少なくとも１つの半波の前側及び後側を切り欠く、照明制御装置。
【発明の詳細な説明】
【技術分野】
【０００１】
本発明は、照明システム、及び照明制御装置に関する。
【背景技術】
【０００２】
近年、照明用光源として、白熱電球や蛍光灯に代わり、ＬＥＤ（Ｌｉｇｈｔ  Ｅｍｉｔｔｉｎｇ  Ｄｉｏｄｅ）が普及してきている。ＬＥＤ照明器具の調光方式には、例えば、位相制御方式、信号線方式、ＰＬＣ（Ｐｏｗｅｒ  Ｌｉｎｅ  Ｃｏｍｍｕｎｉｃａｔｉｏｎ）方式、及び、無線方式がある。
【０００３】
位相制御方式は、照明器具に供給する交流電圧の位相を調整して調光する方式であり、トライアック（双方向サイリスタ）を使用することから、トライアック調光方式とも呼ばれる（例えば、特許文献１参照。）。
【０００４】
信号線方式では、照明器具に電力を供給するための電力線に対して独立した信号線が用いられる。即ち、信号線方式は、コントローラーから照明器具へ、独立した信号線を介して調光のための調光信号を伝送して調光する方式である。
【０００５】
ＰＬＣ方式は、コントローラーと照明器具とが接続する商用電源ラインを介して、コントローラーから照明器具へ調光のための調光信号を伝送して調光する方式である。
【０００６】
無線方式は、コントローラーから照明器具へ、無線信号を媒体として調光のための調光信号を送信して調光する方式である。このため無線方式では、コントローラーが、無線信号を送信するための送信回路を備え、照明器具が、無線信号を受信するための受信回路を備える。
【先行技術文献】
【特許文献】
【０００７】
【特許文献１】特開２０１３−１４５６６２号公報
【発明の概要】
【発明が解決しようとする課題】
【０００８】
しかしながら、位相制御方式、信号線方式、ＰＬＣ方式、及び無線方式には、以下のような問題がある。
【０００９】
位相制御方式では、コントローラーから照明器具へ１種類の調光信号を送ることしかできない。このため、互いに光色が異なる複数色のＬＥＤの光量を個別に制御することが困難である。したがって、位相制御方式は調色制御に適さない。
【００１０】
信号線方式では、伝送する信号の種類の数だけ配線や制御回路が必要となり、構成が複雑になる。
【００１１】
ＰＬＣ方式では、商用電源ラインに調光信号を重畳させる。このため、商用電源ラインに接続された他の電気機器への電気的影響が生じ、他の電気機器において誤動作が生じる可能性がある。また、照明器具が他の電気機器から発生するノイズの影響を受け、誤動作する可能性がある。
【００１２】
無線方式では、調光信号の送信側に送信回路が必要であるとともに、受信側に受信回路が必要であるため、構成が複雑になる。また、無線方式では、コントローラー（送信回路）に接続する照明器具ごとにアドレスを付与する必要がある。更に、アドレスのグルーピングなどが必要となる。よって、制御が複雑になる。
【００１３】
本発明は上記課題に鑑みてなされたものであり、その目的は、構成がシンプルであるとともに、調光制御及び調色制御の少なくとも一方を容易に行うことができる照明システム、及び照明制御装置を提供することにある。
【課題を解決するための手段】
【００１４】
本願に開示する照明システムは、照明制御装置と、照明器具とを備える。前記照明制御装置は、入力端子と、電源部と、記憶部と、スイッチ部と、出力端子とを備える。前記入力端子は、外部電源の一端と接続する。前記電源部は、前記外部電源から供給された交流電圧に基づいて電力を生成する。前記記憶部は、切り欠きパターンを記憶する。前記スイッチ部は、前記交流電圧の半波の少なくとも後側を切り欠く。前記出力端子は、前記スイッチ部を通過した前記交流電圧を出力する。更に、前記スイッチ部は、制御信号設定区間において、前記切り欠きパターンに応じて、前記半波のうちの少なくとも１つの半波の前側及び後側を切り欠く。前記照明器具は、第１入力端子と、第２入力端子と、点灯電力供給部と、信号生成部とを備える。前記第１入力端子は、前記出力端子に接続する。前記第２入力端子は、前記外部電源の他端に接続する。前記点灯電力供給部は、点灯負荷に電力を供給する。前記信号生成部は、前記点灯電力供給部の動作を制御する制御信号を生成する。前記スイッチ部が、前記切り欠きパターンに応じて前記交流電圧の半波を切り欠くことにより、前記交流電圧によって前記切り欠きパターンを示す情報が前記信号生成部へ伝達される。前記信号生成部は、前記切り欠きパターンに対応する前記制御信号を生成する。
【００１５】
本願に開示する照明システムにおいて、前記点灯負荷は、互いに光色の異なる光を出射する複数色の照明素子を含み得る。この場合、前記複数色の照明素子の各々から出射される光が混光されて、前記照明器具から任意の光色の光が出射される。
【００１６】
本願に開示する照明システムにおいて、前記切り欠きパターンは、光色を示す切り欠きパターンを含み得る。この場合、前記制御信号によって、前記複数色の照明素子に流れる電流が制御されて、前記点灯負荷から発生する光の光色が調節される。
【００１７】
本願に開示する照明システムにおいて、前記切り欠きパターンは、光量を示す切り欠きパターンを含み得る。この場合、前記制御信号によって、前記複数色の照明素子に流れる電流が制御されて、前記点灯負荷から発生する光の光量が調節される。
【００１８】
本願に開示する照明システムにおいて、前記点灯負荷は、照明素子を含み得る。また、前記切り欠きパターンは、光量を示す切り欠きパターンを含み得る。この場合、前記制御信号によって、前記照明素子に流れる電流が制御されて、前記点灯負荷から発生する光の光量が調節される。
【００１９】
本願に開示する照明システムは、前記照明器具を複数備え得る。複数の前記照明器具は、並列接続され得る。また、前記照明器具の各々にアドレスが設定され得る。この場合、前記照明器具の各々の前記信号生成部は、前記切り欠きパターンが自己のアドレスと同一のアドレスを示すか否かを判定してもよい。
【００２０】
本願に開示する照明制御装置は、照明器具が備える２つの入力端子のうちの一方の入力端子に接続する。前記照明制御装置は、入力端子と、電源部と、記憶部と、スイッチ部と、出力端子とを備える。前記入力端子は、外部電源の一端に接続する。前記電源部は、前記外部電源から供給される交流電圧に基づいて電力を生成する。前記記憶部は、切り欠きパターンを記憶する。前記スイッチ部は、前記交流電圧の半波の少なくとも後側を切り欠く。前記出力端子は、前記照明器具の前記一方の入力端子に接続する。更に、前記スイッチ部は、制御信号設定区間において、前記切り欠きパターンに応じて、前記半波のうちの少なくとも１つの半波の前側及び後側を切り欠く。
【発明の効果】
【００２１】
本発明によれば、シンプルな構成で、調光制御及び調色制御の少なくとも一方を容易に行うことができる。
【図面の簡単な説明】
【００２２】
【図１】実施形態１に係る照明システムを示すブロック図である。
【図２】実施形態１に係るスイッチ部及び駆動部の構成の一例を示す図である。
【図３】（ａ）は、商用電源から供給される交流電圧の波形を示す図である。（ｂ）は、実施形態１に係るスイッチ部を通過した後の交流電圧の波形の一例を示す図である。（ｃ）は、実施形態１に係る第１ゲート駆動部が生成する第１駆動信号の一例を示す図である。（ｄ）は、実施形態１に係る第２ゲート駆動部が生成する第２駆動信号の一例を示す図である。
【図４】（ａ）は、実施形態１に係る同色のＬＥＤの接続例を示す図である。（ｂ）は、実施形態１に係る同色のＬＥＤの他の接続例を示す図である。
【図５】実施形態１に係る第１定電流回路の構成の一例を示す図である。
【図６】実施形態１に係る信号生成部の構成の一例を示す図である。
【図７】（ａ）は、実施形態１に係る第４ＮｃｈＭＯＳＦＥＴのゲートに印加される電圧の波形の一例を示す図である。（ｂ）は、実施形態１に係る第３制御部の入力端子に入力されるパルス信号の一例を示す図である。
【図８】（ａ）は、商用電源から供給される交流電圧の波形を示す図である。（ｂ）は、実施形態１に係る照明制御装置を介して照明器具の第１入力端子へ供給される交流電圧の波形の一例を示す図である。（ｃ）は、実施形態１に係る整流回路の出力波形の一例を示す図である。（ｄ）は、実施形態１に係る平滑回路の出力波形の一例を示す図である。
【図９】（ａ）は、実施形態１に係る第１制御信号の一例を示す図である。（ｂ）は、実施形態１に係る第２制御信号の一例を示す図である。
【図１０】（ａ）は、商用電源から供給される交流電圧の波形を示す図である。（ｂ）は、実施形態２に係るスイッチ部を通過した後の交流電圧の波形の一例を示す図である。（ｃ）は、実施形態２に係る第１ゲート駆動部が生成する第１駆動信号の一例を示す図である。（ｄ）は、実施形態２に係る第２ゲート駆動部が生成する第２駆動信号の一例を示す図である。
【図１１】（ａ）は、実施形態２に係る第４ＮｃｈＭＯＳＦＥＴのゲートに印加される電圧の波形の一例を示す図である。（ｂ）は、実施形態２に係る第３制御部の入力端子に入力されるパルス信号の一例を示す図である。
【図１２】（ａ）は、商用電源から供給される交流電圧の波形を示す図である。（ｂ）は、実施形態３に係るスイッチ部を通過した後の交流電圧の波形の一例を示す図である。（ｃ）は、実施形態３に係る第１ゲート駆動部が生成する第１駆動信号の一例を示す図である。（ｄ）は、実施形態３に係る第２ゲート駆動部が生成する第２駆動信号の一例を示す図である。
【図１３】（ａ）は、実施形態３に係る第４ＮｃｈＭＯＳＦＥＴのゲートに印加される電圧の波形の一例を示す図である。（ｂ）は、実施形態３に係る第３制御部の入力端子に入力されるパルス信号の一例を示す図である。
【図１４】（ａ）は、商用電源から供給される交流電圧の波形を示す図である。（ｂ）は、実施形態４に係るスイッチ部を通過した後の交流電圧の波形の一例を示す図である。（ｃ）は、実施形態４に係る第１ゲート駆動部が生成する第１駆動信号の一例を示す図である。（ｄ）は、実施形態４に係る第２ゲート駆動部が生成する第２駆動信号の一例を示す図である。
【図１５】（ａ）は、実施形態４に係る第４ＮｃｈＭＯＳＦＥＴのゲートに印加される電圧の波形の一例を示す図である。（ｂ）は、実施形態４に係る第３制御部の入力端子に入力されるパルス信号の一例を示す図である。
【図１６】実施形態５に係る照明システムの概略構成を示す図である。
【図１７】実施形態５に係る照明器具の要部を示すブロック図である。
【図１８】実施形態６に係る照明システムの概略構成を示す図である。
【図１９】実施形態６に係る照明制御装置の要部を示すブロック図である。
【発明を実施するための形態】
【００２３】
以下、図面を参照して本発明の実施形態を説明する。ただし、本発明は以下の実施形態に限定されない。図中、同一又は相当部分については同一の参照符号を付して説明を繰り返さない。
【００２４】
ＬＥＤ照明器具の調光方式には、例えば、位相制御方式、信号線方式、ＰＬＣ方式、及び、無線方式がある。
【００２５】
位相制御方式は、照明器具に供給する交流電圧の位相を調整して調光する方式である。位相制御方式には、調光制御をするための専用信号線が不要であるため調光制御に適しているというメリットがある一方、コントローラーから照明器具へ１種類の調光信号を送ることしかできないため、互いに光色が異なる複数色のＬＥＤの光量を個別に制御することが困難であり、調色制御に適さないというデメリットがある。
【００２６】
信号線方式では、照明器具に電力を供給するための電力線に対して独立した信号線が用いられる。即ち、信号線方式は、コントローラーから照明器具へ、独立した信号線を介して調光のための調光信号を伝送して調光する方式である。ＰＷＭ方式などの信号線方式には、コントローラーから照明器具へ確実に調光信号を伝送できるというメリットがある一方、コントローラーから照明器具へ伝送する信号の種類の数だけ配線や制御回路が必要となり、構成が複雑になるというデメリットがある。
【００２７】
ＰＬＣ方式は、コントローラーと照明器具とが接続する商用電源ラインを介して、コントローラーから照明器具へ調光のための調光信号を伝送して調光する方式である。ＰＬＣ方式には、商用電源ラインに調光信号を重畳させるため、配線が少なくて済むというメリットがある一方、商用電源ラインに接続された他の電気機器への電気的影響が生じ、他の電気機器において誤動作が生じる可能性があるというデメリットがある。更に、照明器具が他の電気機器から発生するノイズの影響を受け、誤動作する可能性があるというデメリットがある。
【００２８】
無線方式は、コントローラーから照明器具へ、無線信号を媒体として調光のための調光信号を送信して調光する方式である。このため無線方式では、コントローラーが、無線信号を送信するための送信回路を備え、照明器具が、無線信号を受信するための受信回路を備える。無線方式には、配線が少なくて済むというメリットがある一方、調光信号の送信側に送信回路が必要であるとともに、受信側に受信回路が必要であるため、構成が複雑になるというデメリットがある。また、無線方式では、コントローラー（送信回路）に接続する照明器具ごとにアドレスを付与する必要がある。更に、アドレスのグルーピングなどが必要となる。よって、制御が複雑になるというデメリットがある。
【００２９】
本発明の実施形態に係る照明システム、照明制御装置、及び照明器具によれば、上記のような従来技術に対し、配線などの接続構成がシンプルになり、かつ照明器具の制御が容易になる。
【００３０】
（実施形態１）
図１は、実施形態１に係る照明システム１を示すブロック図である。図１に示すように、照明システム１は、照明制御装置３、及び照明器具５を備える。照明制御装置３は、照明器具５から出射される光の光量及び光色（例えば、相関色温度）を制御する。即ち、照明制御装置３は、調光制御及び調色制御を実行する。照明制御装置３は、例えば室内の壁に設置される。照明器具５は、例えば、ダウンライト又は間接照明である。以下では、まず、図１、図２、及び図３（ａ）〜図３（ｄ）を参照して、照明制御装置３について説明する。
【００３１】
図１に示すように、照明制御装置３は、電源部３１、スイッチ部３２、駆動部３３、ゼロクロス検出部３４、第１制御部３５、入力部３６、表示部３７、入力端子３０１、及び出力端子３０２を備える。
【００３２】
照明制御装置３は、所謂２線式であり、第１電力線４ａを介して、商用電源２（外部電源の一例）と照明器具５との間に直列に接続される。具体的には、スイッチ部３２が、商用電源２と照明器具５との間に直列に接続される。
【００３３】
詳しくは、照明制御装置３の入力端子３０１が、商用電源２の一端に第１電力線４ａを介して接続されるとともに、照明制御装置３の出力端子３０２が、第１電力線４ａを介して、照明器具５が備える２つの入力端子５０１、５０２のうちの一方の入力端子５０１に接続される。一方、照明器具５が備える２つの入力端子５０１、５０２のうちの他方の入力端子５０２は、照明制御装置３を介すことなく、第２電力線４ｂを介して商用電源２の他端に接続される。また、照明制御装置３内において、照明制御装置３の入力端子３０１がスイッチ部３２の入力端に接続されるとともに、照明制御装置３の出力端子３０２がスイッチ部３２の出力端に接続される。
【００３４】
したがって、照明制御装置３の入力端子３０１に、商用電源２の一端から交流電圧が供給され、照明制御装置３の出力端子３０２から、スイッチ部３２を通過した後の交流電圧が出力される。そして、照明制御装置３の出力端子３０２から出力された交流電圧が、照明器具５が備える一方の入力端子５０１に供給される。一方、照明器具５が備える他方の入力端子５０２には、商用電源２の他端から交流電圧が供給される。なお、以下の説明において、照明器具５が備える一方の入力端子５０１を第１入力端子５０１と記載する場合がある。また、照明器具５が備える他方の入力端子５０２を第２入力端子と記載する場合がある。
【００３５】
スイッチ部３２は、商用電源２から供給された交流電圧の導通を制御して、交流電圧に含まれる各半波の一部を切り欠く。更に、スイッチ部３２は、制御信号設定区間において、各半波の少なくとも１つの波形を、他の半波とは異なる所定の波形に変化させる。この結果、照明器具５の第１入力端子５０１に供給される交流電圧の波形は、制御信号設定区間において、照明器具５から出射される光の光量及び光色のうちの少なくとも一方を変更又は設定するための情報を示す波形となる。
【００３６】
照明器具５は、照明器具５の第１入力端子５０１に供給される交流電圧に基づいて、制御信号設定区間に含まれる交流電圧の波形に応じた光量及び光色の光を発生させる。即ち、照明器具５の第１入力端子５０１に供給される交流電圧は、照明器具５のエネルギー源となるとともに、調光制御及び調色制御のうちの少なくとも一方の制御のための命令信号となる。なお、以下の説明において、照明器具５の第１入力端子５０１に供給される交流電圧（又は、スイッチ部３２を通過した後の交流電圧）のうち、制御信号設定区間に含まれる交流電圧を、制御信号設定区間における交流電圧と記載する場合がある。
【００３７】
電源部３１は、スイッチ部３２の入力端及び出力端間に接続されて、照明制御装置３の各部の動作に必要な電力（具体的には、直流電圧）を生成する。詳しくは、電源部３１は、スイッチ部３２に含まれるスイッチ素子のオフ期間に電力を生成する。実施形態１において、スイッチ素子は、交流電圧に含まれる各半波の前半分が入力端子３０１（スイッチ部３２の入力端）に供給されている期間中にオフ状態となる。スイッチ素子の動作は、駆動部３３が生成する駆動信号によって制御される。スイッチ部３２は、好ましくは半導体スイッチ素子を含む。
【００３８】
電源部３１は更に、交流電圧のゼロクロス検出用の電圧をゼロクロス検出部３４に供給する。例えば、電源部３１は、整流回路を含み得る。この場合、電源部３１は、交流電圧を整流回路によって整流した後の電圧を、ゼロクロス検出用の電圧として、ゼロクロス検出部３４に供給してもよい。
【００３９】
ゼロクロス検出部３４は、ゼロクロス検出用の電圧に基づいて、交流電圧のゼロクロス点を検出する。ゼロクロス検出部３４は、交流電圧のゼロクロス点を示す信号を第１制御部３５に入力する。
【００４０】
入力部３６はユーザーインターフェイスであり、例えば複数個の押しボタンを含む。ユーザーは、入力部３６を介して、照明器具５から出射される光の光量及び光色の変更又は設定を指令することができる。ユーザーによる指令は、入力部３６を介して第１制御部３５に入力される。
【００４１】
第１制御部３５は、例えばマイクロコンピューターであり、第１メモリー３５ａ（記憶部の一例）を含む。第１制御部３５は、第１メモリー３５ａに記憶されたプログラムを実行することによって、数値計算や情報処理、機器制御のような様々な処理を行う。第１メモリー３５ａは、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）によって構成され得る。
【００４２】
第１メモリー３５ａは、プログラム及び設定情報などを記憶する。具体的には、第１メモリー３５ａは、交流電圧の周波数を記憶する。また、第１メモリー３５ａは、入力部３６によって設定し得る光量の各段階に対応する各第１の切り欠きパターンを示す情報を記憶している。更に第１メモリー３５ａは、入力部３６によって設定し得る光色の各段階に対応する各第２の切り欠きパターンを示す情報を記憶している。以下、第１の切り欠きパターンと第２の切り欠きパターンとを区別して説明する必要がない場合、切り欠きパターンと記載する場合がある。
【００４３】
第１制御部３５は、交流電圧のゼロクロス点を示す信号に基づき、駆動部３３を介してスイッチ部３２を制御する。詳しくは、第１制御部３５は、交流電圧のゼロクロス点を示す信号に基づき、駆動信号の立ち上がりのタイミング及び立ち下がりのタイミングを制御する。
【００４４】
具体的には、実施形態１の第１制御部３５は、電源部３１において電力が生成されるように、スイッチ部３２に含まれるスイッチ素子を、各ゼロクロス点よりも遅いタイミングでターンオンさせる。この結果、交流電圧の各半波は、前側の一部が切り欠かれた波形となる。スイッチ素子をターンオンさせるタイミングは、交流電圧の周波数に応じて設定される。交流電圧の周波数は、第１制御部３５が、交流電圧のゼロクロス点を示す信号に基づいて判定する。例えば第１制御部３５は、照明制御装置３の設置時に交流電圧の周波数を判定する。第１制御部３５は、判定した周波数の値を示す情報を、第１メモリー３５ａに記憶させる。
【００４５】
また、第１制御部３５は、ユーザーからの指令が入力部３６を介して入力されると、その指令に応じた光量及び光色の光が照明器具５から出射されるように、駆動部３３を介してスイッチ部３２を制御する。詳しくは、制御信号設定区間における交流電圧の波形が、その指令に応じた切り欠きパターンを有するようにスイッチ部３２を制御する。
【００４６】
具体的には、ユーザーの指令によって光量が設定（あるいは変更）される場合、第１制御部３５は、ユーザーが設定した光量に対応する第１の切り欠きパターンを示す情報を第１メモリー３５ａから読み出す。次に、第１制御部３５は、読み出した情報に基づいてスイッチ部３２を制御する。この結果、制御信号設定区間における交流電圧の波形が、ユーザーによって設定された光量を示す第１の切り欠きパターンを有する波形となる。同様に、ユーザーの指令によって光色が設定（あるいは変更）される場合、第１制御部３５は、ユーザーが設定した光色に対応する第２の切り欠きパターンを示す情報を第１メモリー３５ａから読み出す。この結果、制御信号設定区間における交流電圧の波形は、ユーザーによって設定された光色を示す第２の切り欠きパターンを有する波形となる。また、ユーザーの指令によって光量及び光色が設定（あるいは変更）される場合、制御信号設定区間における交流電圧の波形は、ユーザーによって設定された光量及び光色を示す第１の切り欠きパターン及び第２の切り欠きパターンを有する波形となる。
【００４７】
実施形態１では、第１制御部３５は、光量の設定（あるいは変更）の際に、第１の切り欠きパターンを示す情報とともに、現在設定されている光色に対応する第２の切り欠きパターンを示す情報を第１メモリー３５ａから読み出す。同様に、第１制御部３５は、光色の設定（あるいは変更）の際に、第２の切り欠きパターンを示す情報とともに、現在設定されている光量に対応する第１の切り欠きパターンを示す情報を第１メモリー３５ａから読み出す。したがって、制御信号設定区間における交流電圧の波形は、例えば、第１の切り欠きパターンに続けて、第２の切り欠きパターンを有する波形となる。
【００４８】
実施形態１では、交流電圧に含まれる各半波の前半分の一部が切り欠かれる。更に、制御信号設定区間において、少なくとも１つの半波の最大幅が、切り欠きパターンに応じて変化する。詳しくは、スイッチ部３２に含まれるスイッチ素子をターンオンさせるタイミングが、切り欠きパターンに応じて変化する。なお、制御信号設定区間は、半波の数によって予め規定される。換言すると、制御信号設定区間は、所定数の半波を含む。
【００４９】
また、第１制御部３５は、照明制御装置３の起動時に、第１メモリー３５ａに予め登録された光量及び光色（デフォルト値）に応じた光が照明器具５から出射されるように、駆動部３３を介してスイッチ部３２を制御する。この結果、照明制御装置３の起動時に照明器具５の一方の入力端子５０１に供給される交流電圧の波形が、制御信号設定区間において、予め登録された光量及び光色を示す第１の切り欠きパターン及び第２の切り欠きパターンを有する波形となる。なお、照明制御装置３の起動時に設定される光量及び光色は、入力部３６を介してユーザーが設定又は登録した光量及び光色であり得る。あるいは、照明制御装置３の起動時に設定される光量及び光色として、ユーザーによって最後に設定された光量及び光色を利用してもよい。
【００５０】
表示部３７は、第１制御部３５によって制御されて、各種の画像を表示することができる。表示部３７は、例えば液晶ディスプレイ又は有機ＥＬディスプレイであり得る。
【００５１】
第１制御部３５は、表示部３７に、ユーザーによる光量及び光色の設定又は変更を視覚的に補助する情報を表示させる。詳しくは、表示部３７は、家屋や事務所等に照明システム１が設置された直後の初期段階では、予め規定された光量及び光色を示す情報を表示する。初期段階における光量及び光色を示す情報は第１メモリー３５ａに予め記憶されており、初期段階では、予め規定された光量及び光色の光が照明器具５から出射される。その後、表示部３７は、入力部３６を介して指示された光量及び光色の情報を表示する。これにより、ユーザーは、表示部３７を見ながら、所望の光量及び光色を設定又は変更することができる。
【００５２】
続いて図２を参照して、スイッチ部３２及び駆動部３３の一例について説明する。図２は、スイッチ部３２及び駆動部３３の構成の一例を示す図である。図２に示すように、スイッチ部３２は、スイッチ素子として、第１ＮｃｈＭＯＳＦＥＴ３２１ａ、及び第２ＮｃｈＭＯＳＦＥＴ３２１ｂを備える。スイッチ部３２は更に、第１ダイオード３２５ａ、及び第２ダイオード３２５ｂを備える。また、駆動部３３は、第１ゲート駆動部３３１ａ、及び第２ゲート駆動部３３１ｂを備え得る。
【００５３】
第１ＮｃｈＭＯＳＦＥＴ３２１ａのドレインは、スイッチ部３２の入力端を構成し、照明制御装置３の入力端子３０１と接続する。第１ＮｃｈＭＯＳＦＥＴ３２１ａ、及び第２ＮｃｈＭＯＳＦＥＴ３２１ｂは、相補的に接続される。詳しくは、第１ＮｃｈＭＯＳＦＥＴ３２１ａのソースは、第２ＮｃｈＭＯＳＦＥＴ３２１ｂのソースに電気的に接続する。第１ＮｃｈＭＯＳＦＥＴ３２１ａのソース、及び第２ＮｃｈＭＯＳＦＥＴ３２１ｂのソースは、接地される。第２ＮｃｈＭＯＳＦＥＴ３２１ｂのドレインは、スイッチ部３２の出力端を構成し、照明制御装置３の出力端子３０２と接続する。
【００５４】
第１ダイオード３２５ａは、第１ＮｃｈＭＯＳＦＥＴ３２１ａのソース及びドレイン間に電気的に接続される。詳しくは、第１ダイオード３２５ａのアノードが第１ＮｃｈＭＯＳＦＥＴ３２１ａのソースに接続され、第１ダイオード３２５ａのカソードが第１ＮｃｈＭＯＳＦＥＴ３２１ａのドレインに接続される。
【００５５】
第２ダイオード３２５ｂは、第２ＮｃｈＭＯＳＦＥＴ３２１ｂのソース及びドレイン間に電気的に接続される。詳しくは、第２ダイオード３２５ｂのアノードが第２ＮｃｈＭＯＳＦＥＴ３２１ｂのソースに接続され、第２ダイオード３２５ｂのカソードが第２ＮｃｈＭＯＳＦＥＴ３２１ｂのドレインに接続される。
【００５６】
第１ゲート駆動部３３１ａは、第１ＮｃｈＭＯＳＦＥＴ３２１ａのゲートに接続する。第１ゲート駆動部３３１ａは、第１制御部３５によって制御されて、第１ＮｃｈＭＯＳＦＥＴ３２１ａをターンオン及びターンオフさせるパルス状の駆動信号（パルス波）を生成する。
【００５７】
第２ゲート駆動部３３１ｂは、第２ＮｃｈＭＯＳＦＥＴ３２１ｂのゲートに接続する。第２ゲート駆動部３３１ｂは、第１制御部３５によって制御されて、第２ＮｃｈＭＯＳＦＥＴ３２１ｂをターンオン及びターンオフさせるパルス状の駆動信号（パルス波）を生成する。
【００５８】
続いて図２、及び図３（ａ）〜図３（ｄ）を参照して、制御信号設定区間における交流電圧の波形、及び駆動部３３が生成する駆動信号の一例について説明する。図３（ａ）は、商用電源２から供給される交流電圧１００の波形を示す図である。図３（ｂ）は、スイッチ部３２を通過した後の交流電圧１１０の波形の一例を示す図である。詳しくは、図３（ｂ）は、制御信号設定区間における交流電圧１１０の波形を示す。図３（ｃ）は第１ゲート駆動部３３１ａが生成する第１駆動信号１２０ａの一例を示す図である。図３（ｄ）は第２ゲート駆動部３３１ｂが生成する第２駆動信号１２０ｂの一例を示す図である。
【００５９】
図３（ａ）〜図３（ｄ）において、横軸は時間を示す。具体的には、図３（ａ）〜図３（ｄ）において右側ほど遅い時間である。また、図３（ａ）及び図３（ｂ）において、横軸よりも上側は正の電圧を示し、横軸よりも下側は負の電圧を示す。
【００６０】
図３（ａ）に示すように、交流電圧１００は、正弦波状の波形を有する。交流電圧１００の周波数は、例えば５０Ｈｚ又は６０Ｈｚである。交流電圧１００は、ゼロクロス点を含む。詳しくは、交流電圧１００の波形が横軸と交わる点が、交流電圧１００のゼロクロス点である。
【００６１】
本明細書では、各半波において、時間的に早いゼロクロス点を第１ゼロクロス点１０１と規定し、時間的に遅いゼロクロス点を第２ゼロクロス点１０２と規定する。つまり、各半波は、第１ゼロクロス点１０１から開始し、第２ゼロクロス点１０２において終了する。なお、正の電圧を有する各半波の第２ゼロクロス点１０２は、負の電圧を有する各半波の第１ゼロクロス点１０１に対応する。同様に、負の電圧を有する各半波の第２ゼロクロス点１０２は、正の電圧を有する各半波の第１ゼロクロス点１０１に対応する。
【００６２】
また、本明細書では、各半波において、第１ゼロクロス点１０１から位相角９０°までの部分を、半波の前側あるいは半波の前半分と規定する。換言すると、半波の開始位置から半波の頂点位置までの部分が、半波の前側（前半分）である。同様に、各半波において、位相角９０°から第２ゼロクロス点１０２までの部分を、半波の後側あるいは半波の後半分と規定する。換言すると、半波の頂点位置から半波の終了位置までの部分が、半波の後側（後半分）である。
【００６３】
図３（ｂ）に示すように、交流電圧１１０は、第１半波１１１、第２半波１１２、第３半波１１３、及び第４半波１１４を含み得る。第１半波１１１、及び第２半波１１２は、正の電圧を有し、第３半波１１３、及び第４半波１１４は、負の電圧を有する。
【００６４】
詳しくは、交流電圧１１０の波形は、制御信号設定区間において、切り欠きパターンに応じて、少なくとも１箇所に第２半波１１２又は第４半波１１４を含む。残りの箇所は、第１半波１１１又は第３半波１１３となる。なお、制御信号設定区間以外の期間において、交流電圧１１０の波形は、第１半波１１１及び第３半波１１３によって構成される。
【００６５】
実施形態１において、第１半波１１１、第２半波１１２、第３半波１１３、及び第４半波１１４はそれぞれ、前側に切り欠きを有する。具体的には、第１半波１１１及び第３半波１１３は、前側に第１切り欠き１１１ａを有し、第２半波１１２及び第４半波１１４は、前側に第２切り欠き１１２ａを有する。
【００６６】
図３（ｃ）に示すように、第１駆動信号１２０ａは、第１パルス波１２１、及び第２パルス波１２２を含む。第１パルス波１２１、及び第２パルス波１２２は、交流電圧１００が正の電圧である際に生成される（第１ＮｃｈＭＯＳＦＥＴ３２１ａのゲートに入力される）。換言すると、第１駆動信号１２０ａの信号レベルは、交流電圧１００に含まれる正の電圧を有する各半波に対応してＨレベルとなる。
【００６７】
図２を参照して説明した第１ＮｃｈＭＯＳＦＥＴ３２１ａは、第１駆動信号１２０ａの信号レベルがＨレベルである期間にオン状態となる。換言すると、第１ＮｃｈＭＯＳＦＥＴ３２１ａは、第１パルス波１２１、及び第２パルス波１２２が入力されている期間にオン状態となる。交流電圧１００に含まれる正の電圧を有する各半波は、第１ＮｃｈＭＯＳＦＥＴ３２１ａがオン状態である期間に、第１ＮｃｈＭＯＳＦＥＴ３２１ａを通過する。換言すると、正の電圧を有する各半波は、第１ＮｃｈＭＯＳＦＥＴ３２１ａがオフ状態である期間にスイッチ部３２を通過しない。なお、正の電圧を有する各半波は、第１ＮｃｈＭＯＳＦＥＴ３２１ａを通過した後、図２を参照して説明した第２ダイオード３２５ｂを経由して、照明制御装置３の出力端子３０２に至る。
【００６８】
第１パルス波１２１は、第１パルス幅Ｗ１を有する。詳しくは、第１パルス波１２１は、第１ゼロクロス点１０１から遅延したタイミングＴ１において立ち上がり、第２ゼロクロス点１０２のタイミングにおいて立ち下がる。タイミングＴ１は、第１ゼロクロス点１０１から位相角９０°までの間に設定される。
【００６９】
図３（ｂ）に示す第１半波１１１は、第１パルス波１２１に対応して生成される。このため、第１半波１１１の導通は、タイミングＴ１から開始される。この結果、第１半波１１１は第１切り欠き１１１ａを有する波形となり、第１半波１１１の最大幅は、第１パルス幅Ｗ１に対応する長さとなる。
【００７０】
第２パルス波１２２は、第１パルス幅Ｗ１よりも短い第２パルス幅Ｗ２を有する。詳しくは、第２パルス波１２２は、第１ゼロクロス点１０１から遅延したタイミングＴ２において立ち上がり、第２ゼロクロス点１０２のタイミングで立ち下がる。具体的には、第１ゼロクロス点１０１（半波の開始位置）に対するタイミングＴ２の遅延時間は、第１ゼロクロス点１０１に対するタイミングＴ１の遅延時間よりも長い。なお、タイミングＴ２は、第１ゼロクロス点１０１から位相角９０°までの間に設定される。
【００７１】
図３（ｂ）に示す第２半波１１２は、第２パルス波１２２に対応して生成される。このため、第２半波１１２の導通は、タイミングＴ２から開始される。この結果、第２半波１１２は第２切り欠き１１２ａを有する波形となり、第２半波１１２の最大幅は、第２パルス幅Ｗ２に対応する長さとなる。したがって、第２半波１１２の最大幅は、第１半波１１１の最大幅よりも小さくなる。
【００７２】
図３（ｄ）に示すように、第２駆動信号１２０ｂは、第３パルス波１２３、及び第４パルス波１２４を含む。第３パルス波１２３、及び第４パルス波１２４は、交流電圧１００が負の電圧である際に生成される（第２ＮｃｈＭＯＳＦＥＴ３２１ｂのゲートに入力される）。換言すると、第２駆動信号１２０ｂの信号レベルは、交流電圧１００に含まれる負の電圧を有する各半波に対応してＨレベルとなる。
【００７３】
図２を参照して説明した第２ＮｃｈＭＯＳＦＥＴ３２１ｂは、第２駆動信号１２０ｂの信号レベルがＨレベルである期間にオン状態となる。換言すると、第２ＮｃｈＭＯＳＦＥＴ３２１ｂは、第３パルス波１２３、及び第４パルス波１２４が入力されている期間にオン状態となる。交流電圧１００に含まれる負の電圧を有する各半波は、図２を参照して説明した第１ダイオード３２５ａを経由して、第２ＮｃｈＭＯＳＦＥＴ３２１ｂのソースに到達し、第２ＮｃｈＭＯＳＦＥＴ３２１ｂがオン状態である期間に、第２ＮｃｈＭＯＳＦＥＴ３２１ｂを通過する。換言すると、負の電圧を有する各半波は、第２ＮｃｈＭＯＳＦＥＴ３２１ｂがオフ状態である期間にスイッチ部３２を通過しない。
【００７４】
第３パルス波１２３は、第１パルス波１２１と同様に、第１パルス幅Ｗ１を有する。詳しくは、第３パルス波１２３は、第１パルス波１２１と同様に、タイミングＴ１において立ち上がり、第２ゼロクロス点１０２のタイミングにおいて立ち下がる。
【００７５】
図３（ｂ）に示す第３半波１１３は、第３パルス波１２３に対応して生成される。このため、第３半波１１３の導通は、タイミングＴ１から開始される。この結果、第３半波１１３は第１切り欠き１１１ａを有する波形となり、第３半波１１３の最大幅は、第１半波１１１と同様に、第１パルス幅Ｗ１に対応する長さとなる。換言すると、第３半波１１３の最大幅は、第１半波１１１の最大幅と同じ幅となる。
【００７６】
第４パルス波１２４は、第２パルス波１２２と同様に、第２パルス幅Ｗ２を有する。詳しくは、第４パルス波１２４は、第２パルス波１２２と同様に、タイミングＴ２において立ち上がり、第２ゼロクロス点１０２のタイミングにおいて立ち下がる。
【００７７】
図３（ｂ）に示す第４半波１１４は、第４パルス波１２４に対応して生成される。このため、第４半波１１４の導通は、タイミングＴ２において開始される。この結果、第４半波１１４は第２切り欠き１１２ａを有する波形となり、第４半波１１４の最大幅は、第２半波１１２と同様に、第２パルス幅Ｗ２に対応する長さとなる。換言すると、第４半波１１４の最大幅は、第２半波１１２の最大幅と同じ幅となる。
【００７８】
以上、図１、図２、及び図３（ａ）〜図３（ｄ）を参照して照明制御装置３について説明した。実施形態１に係る照明制御装置３によれば、制御信号設定区間において、照明器具５の一方の入力端子５０１へ供給する交流電圧（交流電圧１１０）の波形を、切り欠きパターンに応じた所定の波形に変化させることができる。
【００７９】
具体的には、スイッチ部３２の動作により、交流電圧１１０の波形が変化する。詳しくは、制御信号設定区間において、交流電圧１１０の各半波は、その前半分に、切り欠きパターンに応じて、第１切り欠き１１１ａ、又は、第１切り欠き１１１ａとは異なる第２切り欠き１１２ａを有する波形となる。これにより、切り欠きパターンを示す情報が照明制御装置３から照明器具５へ伝達される。
【００８０】
なお、入力部３６はタッチパネルによって形成されてもよい。タッチパネルは、表示部３７に設けられてもよい。
【００８１】
また、入力部３６は、赤外線リモートコントローラーなどから送信される赤外線を受光可能な赤外線受光部を含み得る。この場合、赤外線リモートコントローラーなどから送信された赤外線コード信号が、赤外線受光部を介して第１制御部３５に伝送される。例えば、赤外線リモートコントローラーの筐体に、光量アップボタン、光量ダウンボタン、光色アップボタン、及び光色ダウンボタンが設けられている場合、ユーザーがいずれかのボタンを１回押下する毎に、ユーザーによるボタン操作に対応する赤外線コード信号が第１制御部３５へ送られる。例えば、ユーザーが光量ダウンボタンを１回押下した場合、光量を１段階下げる指令を示す赤外線コード信号が第１制御部３５へ送られる。この結果、交流電圧１１０の波形が、現在の光量よりも１段階低い光量を示す切り欠きパターンを有する波形となる。
【００８２】
続いて図１を参照して、照明器具５について説明する。図１に示すように、照明器具５は、第１入力端子５０１及び第２入力端子５０２に加えて、点灯電力供給部６、信号生成部７、及び点灯負荷８を更に備える。
【００８３】
点灯電力供給部６は、第１入力端子５０１及び第２入力端子５０２に電気的に接続している。点灯電力供給部６は、第１入力端子５０１及び第２入力端子５０２を介して供給された交流電圧に基づいて、点灯負荷８に電力を供給する。
【００８４】
実施形態１では、点灯負荷８が、照明素子としてＬＥＤを含む。したがって、点灯電力供給部６は、定電流を生成する。また、実施形態１では、点灯負荷８が、互いに光色の異なる光を出射する複数色のＬＥＤを含む。これにより、調光調色制御を実現することができる。複数色のＬＥＤは、平面視したときに均等に配置されることが好ましい。これにより、各光色の光が均等に混ざるため、点灯負荷８から発生する光の光量及び光色を高精度に調節することが可能となる。
【００８５】
具体的には、点灯負荷８は、互いに光色の異なる光を出射する第１ＬＥＤ８１ａと第２ＬＥＤ８１ｂとを含む。例えば、点灯負荷８は、第１ＬＥＤ８１ａとして５０００ケルビン（寒色）のＬＥＤを含み、第２ＬＥＤ８１ｂとして２７００ケルビン（暖色）のＬＥＤを含み得る。
【００８６】
実施形態１では、点灯電力供給部６は、整流回路６１、平滑回路６２、及び、２つの定電流回路６３を備える。２つの定電流回路６３は、第１ＬＥＤ８１ａに対応して設けられた第１定電流回路６３ａと、第２ＬＥＤ８１ｂに対応して設けられた第２定電流回路６３ｂとを含む。第１定電流回路６３ａは第１ＬＥＤ８１ａに定電流を供給し、第２定電流回路６３ｂは第２ＬＥＤ８１ｂに定電流を供給する。
【００８７】
整流回路６１は、第１入力端子５０１及び第２入力端子５０２を介して供給された交流電圧を整流する。整流回路６１は、好適には全波整流回路である。実施形態１において整流回路６１は全波整流回路である。平滑回路６２は、整流回路６１の出力を平滑化する。実施形態１において、平滑回路６２は、ダイオード６２１と電解コンデンサ６２２とを含む。
【００８８】
整流回路６１及び平滑回路６２により、第１入力端子５０１及び第２入力端子５０２を介して供給された交流電圧が直流電圧に変換される。各定電流回路６３は、平滑回路６２の出力（直流電圧）に基づいて定電流を生成する。この定電流により、点灯負荷８に電力が供給される。
【００８９】
信号生成部７には、整流回路６１を通過した後の電圧が伝送される。信号生成部７は、整流後の電圧の波形が有する切り欠きのパターンに基づいて、第１制御信号１４０ａ、及び第２制御信号１４０ｂを生成する。第１制御信号１４０ａ、及び第２制御信号１４０ｂは、点灯電力供給部６による点灯負荷８への電力供給動作を制御するための信号である。詳しくは、第１制御信号１４０ａによって第１定電流回路６３ａの動作が制御され、第２制御信号１４０ｂによって第２定電流回路６３ｂの動作が制御される。
【００９０】
続いて図４（ａ）及び図４（ｂ）を参照して点灯負荷８について説明する。点灯負荷８は、光色ごとにＬＥＤを１個ずつ含んでもよいし、光色ごとに複数個のＬＥＤを含んでもよい。図４（ａ）及び図４（ｂ）は、同色のＬＥＤ８１の接続例を示す図である。図４（ａ）に示すように、同色のＬＥＤ８１は直列接続されてもよい。あるいは、同色のＬＥＤ８１は、図４（ｂ）に示すように並列接続されてもよい。
【００９１】
続いて図５を参照して、各定電流回路６３について、第１定電流回路６３ａを例に説明する。図５は、第１定電流回路６３ａの構成の一例を示す図である。図５に示すように、第１定電流回路６３ａは、第２制御部６３１、第３ＮｃｈＭＯＳＦＥＴ６３２（スイッチ素子の一例）、ダイオード６３３、チョークコイル６３４、及びコンデンサ６３５を含み得る。
【００９２】
コンデンサ６３５は、平滑回路６２（図１参照）の出力によって充電される。第２制御部６３１は、例えば、定電流制御ＩＣ（Ｉｎｔｅｇｒａｔｅｄ  Ｃｉｒｃｕｉｔ）である。第２制御部６３１は、信号生成部７から出力された第１制御信号１４０ａに従って、点灯負荷８（第１ＬＥＤ８１ａ）に定電流が流れるように第３ＮｃｈＭＯＳＦＥＴ６３２の動作を制御する。この制御により、第３ＮｃｈＭＯＳＦＥＴ６３２がターンオン及びターンオフを繰り返して、コンデンサ６３５が充電と放電とを繰り返す。この結果、第１ＬＥＤ８１ａに定電流が流れて、第１ＬＥＤ８１ａが発光する。
【００９３】
点灯負荷８から発生する光の光量及び光色の調節は、第１ＬＥＤ８１ａ及び第２ＬＥＤ８１ｂにそれぞれ流れる定電流の電流値を制御することで実行される。第１ＬＥＤ８１ａに流れる定電流の電流値は、第１定電流回路６３ａに含まれる第３ＮｃｈＭＯＳＦＥＴ６３２のオン時間及びオフ時間を制御することによって制御し得る。第１制御信号１４０ａは、第１ＬＥＤ８１ａに流れる定電流の電流値が切り欠きパターンに応じた所定の値となるように、第１定電流回路６３ａに含まれる第３ＮｃｈＭＯＳＦＥＴ６３２のオン時間及びオフ時間を制御する。同様に、第２ＬＥＤ８１ｂに流れる定電流の電流値は、第２定電流回路６３ｂに含まれる第３ＮｃｈＭＯＳＦＥＴ６３２のオン時間及びオフ時間を制御することによって制御し得る。第２制御信号１４０ｂは、第２ＬＥＤ８１ｂに流れる定電流の電流値が切り欠きパターンに応じた所定の値となるように、第２定電流回路６３ｂに含まれる第３ＮｃｈＭＯＳＦＥＴ６３２のオン時間及びオフ時間を制御する。
【００９４】
続いて図６、図７（ａ）、及び図７（ｂ）を参照して、信号生成部７の一例について説明する。図６は信号生成部７の構成の一例を示す図である。図７（ａ）、及び図７（ｂ）は、図６に示す信号生成部７の各部で発生する信号の一例を示す。各定電流回路６３の構成が図５を参照して説明した構成である場合、信号生成部７は、図６に示すような回路構成であってもよい。図６に示す信号生成部７は、２値化回路７１と、第３制御部７２とを備える。なお、図６に示すように、第３制御部７２には電源電圧Ｖｃｃが供給される。電源電圧Ｖｃｃは、照明器具５に設けられた電源部（図示せず）によって生成される。
【００９５】
２値化回路７１は、図１を参照して説明した整流回路６１の出力、即ち整流後の電圧を閾値と比較して、パルス信号を生成する。２値化回路７１は、第１抵抗器７１１、第２抵抗器７１２、第３抵抗器７１３、及び第４ＮｃｈＭＯＳＦＥＴ７１４を備えてもよい。第１抵抗器７１１、及び第２抵抗器７１２は、整流回路６１による整流後の電圧を分圧する分圧回路を構成する。この分圧回路の出力電圧が第４ＮｃｈＭＯＳＦＥＴ７１４のゲートに印加される。第３抵抗器７１３はプルアップ抵抗である。なお、実施形態１では、２値化回路７１が第４ＮｃｈＭＯＳＦＥＴ７１４を備える構成について説明するが、２値化回路７１はこの構成に限定されない。例えば、２値化回路７１は、第４ＮｃｈＭＯＳＦＥＴ７１４に替えてバイポーラ型トランジスタを備えてもよい。
【００９６】
第４ＮｃｈＭＯＳＦＥＴ７１４は、そのゲートに印加される電圧と、そのゲート閾値との大小関係に応じて、ターンオン及びターンオフを繰り返す。これにより、第４ＮｃｈＭＯＳＦＥＴ７１４のドレインと第３抵抗器７１３との接続点Ｐに、パルス信号が発生する。このパルス信号が第３制御部７２の入力端子（図示せず）に入力される。第３制御部７２は、例えばマイクロコンピューターであり、第２メモリー７２ａを含む。
【００９７】
図７（ａ）は、第４ＮｃｈＭＯＳＦＥＴ７１４のゲートに印加される電圧１５０の波形の一例を示す図である。また、図７（ｂ）は、第３制御部７２の入力端子に入力されるパルス信号１６０の一例を示す図である。詳しくは、図７（ｂ）は、図７（ａ）に示す電圧１５０に応じて発生するパルス信号１６０を示す。
【００９８】
図７（ａ）に示すように、電圧１５０の波形は、第３切り欠き１５１、及び第４切り欠き１５２を有する。第３切り欠き１５１、及び第４切り欠き１５２は、図３（ａ）〜図３（ｄ）を参照して説明した第１切り欠き１１１ａ、及び第２切り欠き１１２ａにそれぞれ対応する。電圧１５０が第４ＮｃｈＭＯＳＦＥＴ７１４のゲート閾値を下回ると、図７（ｂ）に示すようにパルス信号１６０の信号レベルがＨレベルになる。
【００９９】
詳しくは、パルス信号１６０は、第５パルス波１６１、及び第６パルス波１６２を含む。第５パルス波１６１は第３パルス幅Ｗ３を有し、第６パルス波１６２は第４パルス幅Ｗ４を有する。第３パルス幅Ｗ３は、第３切り欠き１５１に応じた長さとなり、第４パルス幅Ｗ４は、第４切り欠き１５２に応じた長さとなる。図３（ａ）〜図３（ｄ）を参照して説明したように、第１切り欠き１１１ａを有する半波の最大幅は、第２切り欠き１１２ａを有する半波の最大幅よりも大きい。このため、第３パルス幅Ｗ３は、第４パルス幅Ｗ４よりも小さくなる。
【０１００】
第３制御部７２は、パルス信号１６０のパルス幅（第３パルス幅Ｗ３及び第４パルス幅Ｗ４）に応じたデジタル信号（データ列）を生成する。具体的には、第３制御部７２は、パルス信号１６０のパルス幅を求めて、パルス信号１６０のパルス幅が、第３パルス幅Ｗ３であるのか第４パルス幅Ｗ４であるのかを判定する。パルス信号１６０のパルス幅は、パルス信号１６０を閾値と比較することによって求められる。
【０１０１】
実施形態１では、第３制御部７２は、第３パルス幅Ｗ３に対応して値が「０」となり、第４パルス幅Ｗ４に対応して値が「１」となるデジタル信号を生成する（図７（ｂ）参照）。したがって、制御信号設定区間における交流電圧（切り欠きパターン）に対応するデジタル信号が生成される。具体的には、第３制御部７２は、第１の切り欠きパターンに対応する第１デジタル信号、及び、第２の切り欠きパターンに対応する第２デジタル信号を生成する。
【０１０２】
なお、好ましくは、第３制御部７２は、例えば数１００μ秒毎にパルス信号１６０を閾値と比較して、パルス信号１６０のパルス幅を求める。このようにパルス信号１６０が閾値と細かく比較されることで、パルス信号１６０に含まれるノイズの影響を抑制することができる。
【０１０３】
第３制御部７２は、制御信号設定区間の切り欠きパターンに対応するデジタル信号を生成すると、そのデジタル信号（データ列）を第２メモリー７２ａに記憶させる。具体的には、第３制御部７２は、第１の切り欠きパターンに対応する第１データ列を第２メモリー７２ａに記憶させる。また、第３制御部７２は、第２の切り欠きパターンに対応する第２データ列を第２メモリー７２ａに記憶させる。
【０１０４】
また、第３制御部７２は、制御信号設定区間以外の期間においてもデジタル信号（データ列）を生成するが、そのデジタル信号は第２メモリー７２ａに記憶させない。実施形態１では、制御信号設定区間以外の期間において、「０」の値を連続して示すデジタル信号が生成される。
【０１０５】
第３制御部７２は、第２メモリー７２ａに記憶させたデータ列に基づいて、図１及び図５を参照して説明した第１制御信号１４０ａ、及び第２制御信号１４０ｂを生成する。具体的には、第１制御信号１４０ａ、及び第２制御信号１４０ｂはパルス電圧であり、データ列に応じて、第１定電流回路６３ａ、及び第２定電流回路６３ｂへ伝送されるパルス電圧のパルス幅が決まる。この結果、第１ＬＥＤ８１ａ、及び第２ＬＥＤ８１ｂに流れる定電流の電流値が、データ列に応じた値、即ち切り欠きパターンに応じた値となる。
【０１０６】
第１制御信号１４０ａ、及び第２制御信号１４０ｂのパルス幅の設定は、例えば、第２メモリー７２ａに、各切り欠きパターンに対応する各パルス幅を示す情報を記憶させておくことで実現してもよい。なお、第２メモリー７２ａは、例えば、ＲＯＭ、ＲＡＭ、及びＥＥＰＲＯＭによって構成され得る。
【０１０７】
続いて、第３制御部７２によるパルス信号１６０のパルス幅の判定方法について説明する。第３制御部７２は、例えば、第４パルス幅Ｗ４が検出されるまで、時間的に隣接するパルス幅の比を求めて、パルス幅が第３パルス幅Ｗ３であるのか第４パルス幅Ｗ４であるのかを判定する。なお、あるパルス幅の比の値は、時間的に一つ前のパルス幅に対する比の値である。
【０１０８】
詳しくは、第３制御部７２は、求めたパルス幅の比の値が、規定された第１範囲内の値であるとき、そのパルス幅が第３パルス幅Ｗ３であると判定する。一方、第３制御部７２は、求めたパルス幅の比の値が、規定された第２範囲内の値であるとき、そのパルス幅が第４パルス幅Ｗ４であると判定する。第２範囲の下限値は、第１範囲の上限値よりも大きい値に設定されている。そして、第３制御部７２は、第４パルス幅Ｗ４が検出された後は、第３パルス幅Ｗ３が検出されるまで、パルス幅の比の値として、その第４パルス幅Ｗ４の前のパルス幅（第３パルス幅Ｗ３）に対する比の値を求める。なお、第３制御部７２は、求めたパルス幅の比の値が「１」であるとき、そのパルス幅が第３パルス幅Ｗ３であると判定してもよい。
【０１０９】
パルス幅の比の値を用いてパルス信号１６０のパルス幅を判定することにより、照明制御装置３の入力端子３０１に供給される電圧の値及びその電圧の周波数に起因してパルス信号１６０のパルス幅が変化しても、第３制御部７２はパルス信号１６０（切り欠きパターン）を読み取ることができる。
【０１１０】
以上、図１〜図６、図７（ａ）、及び図７（ｂ）を参照して、照明システム１の構成について説明した。実施形態１に係る照明システム１によれば、照明制御装置３から照明器具５へ切り欠きパターンを示す情報を伝達して、切り欠きパターンに応じた光量及び光色の光を照明器具５から出射させることが可能となる。
【０１１１】
なお、好ましくは、照明制御装置３は、制御信号設定区間の開始時に、第３制御部７２において生成されるデータ列が予告データ列となるように、スイッチ部３２を制御する。予告データ列は、制御信号設定区間の開始を示す。予告データ列により、第３制御部７２は、制御信号設定区間の開始を認識（判定）することができる。例えば、照明制御装置３は、制御信号設定区間の開始時に、１つ以上の第６パルス波１６２が第３制御部７２に連続して入力されるように、スイッチ部３２を制御する。この場合、予告データ列は、１つ以上の「１」の値を連続して示すデジタル信号である。
【０１１２】
同様に、照明制御装置３は、制御信号設定区間の終了時に、第３制御部７２において生成されるデータ列が区間終了データ列となるように、スイッチ部３２を制御することが好ましい。区間終了データ列は、制御信号設定区間の終了を示す。区間終了データ列により、第３制御部７２は、制御信号設定区間の終了を容易に認識（判定）することができる。例えば、照明制御装置３は、制御信号設定区間の終了時に、所定数の第６パルス波１６２が第３制御部７２に連続して入力されるように、スイッチ部３２を制御する。この場合、区間終了データ列は、所定数の「１」の値を連続して示すデジタル信号である。
【０１１３】
続いて図１〜図８、図９（ａ）、及び図９（ｂ）を参照して、照明システム１の動作の一例を説明する。具体的には、光の光量及び光色のうちの少なくとも一方を変更（設定）する指示が入力部３６を介して入力された際の照明システム１の動作を説明する。
【０１１４】
図８（ａ）は、商用電源２から供給される交流電圧１００の波形を示す図である。交流電圧１００は、第１電力線４ａを介して照明制御装置３の入力端子３０１に供給される。
【０１１５】
図８（ｂ）は、照明制御装置３（スイッチ部３２）を介して照明器具５の第１入力端子５０１へ供給される交流電圧１１０の波形の一例を示す図である。第１制御部３５は、光の光量及び光色のうちの少なくとも一方を変更する指示が入力部３６を介して入力されると、その指示の内容に応じて、制御信号設定区間の交流電圧１１０の波形を制御する。
【０１１６】
具体的には、交流電圧１１０の波形が、制御信号設定区間において、入力された指示に対応する切り欠きパターンを有するように、スイッチ部３２が動作する。この結果、図８（ｂ）に示すように、交流電圧１１０の波形は、少なくとも１つの第２半波１１２又は第４半波１１４を含む波形となる。換言すると、交流電圧１１０の波形は、制御信号設定区間において、第１切り欠き１１１ａ及び第２切り欠き１１２ａを有する波形となる。実施形態１では、制御信号設定区間における交流電圧１１０の波形は、第１の切り欠きパターンと第２の切り欠きパターンとを有する。なお、第１制御部３５は、制御信号設定区間以外の期間では、交流電圧１１０の波形に第１半波１１１のみが含まれるようにスイッチ部３２を動作させる。
【０１１７】
図８（ｃ）は、整流回路６１の出力波形の一例を示す図である。即ち、図８（ｃ）は、整流回路６１によって整流された後の電圧１７０の波形を示す。図８（ｃ）に示すように、電圧１７０の波形は、制御信号設定区間において、第１切り欠き１１１ａ、及び第２切り欠き１１２ａを有する。なお、実施形態１では、電圧１７０の波形は、制御信号設定区間において第１の切り欠きパターンと第２の切り欠きパターンとを有する。
【０１１８】
図８（ｄ）は、平滑回路６２の出力波形の一例を示す図である。即ち、図８（ｄ）は、平滑回路６２によって平滑された後の電圧１８０の波形を示す。図８（ｄ）に示すように、電圧１８０は、直流電圧となる。したがって、平滑回路６２から各定電流回路６３へ直流電圧が供給される。
【０１１９】
一方、図８（ｃ）に示す電圧１７０は、信号生成部７にも伝送される。信号生成部７は、電圧１７０の波形が第１の切り欠きパターンと第２の切り欠きパターンとを有する場合、電圧１７０の波形に基づいて、第１制御信号１４０ａ、及び第２制御信号１４０ｂの波形を制御する。
【０１２０】
具体的には、第３制御部７２が、第１の切り欠きパターンに対応する第１デジタル信号と、第２の切り欠きパターンに対応する第２デジタル信号とを生成する。そして、第３制御部７２は、第１デジタル信号（第１データ列）と第２デジタル信号（第２データ列）とに基づいて、第１制御信号１４０ａの波形と、第２制御信号１４０ｂの波形とを決定する。換言すると、各定電流回路６３へ伝送するパルス電圧のパルス幅を決定する。この結果、切り欠きパターンに応じて、第１制御信号１４０ａ、及び第２制御信号１４０ｂのうちの少なくとも一方の波形（パルス電圧のパルス幅）が変更される。
【０１２１】
また第３制御部７２は、第１データ列及び第２データ列を生成すると、それらのデータ列を第２メモリー７２ａに記憶させる。そして、第３制御部７２は、次に第１データ列及び第２データ列を生成するまで、第２メモリー７２ａが記憶する第１データ列及び第２データ列に基づいて、第１制御信号１４０ａ、及び第２制御信号１４０ｂを生成する。換言すると、第２メモリー７２ａが記憶する第１データ列及び第２データ列に基づいて、各定電流回路６３へ伝送するパルス電圧のパルス幅を決定する。
【０１２２】
図９（ａ）は第１制御信号１４０ａの一例を示す図であり、図９（ｂ）は第２制御信号１４０ｂの一例を示す図である。図９（ａ）及び図９（ｂ）に示す例では、時刻ｔ１において、第１制御信号１４０ａ、及び第２制御信号１４０ｂのパルス幅が変化する。第１制御信号１４０ａ、及び第２制御信号１４０ｂのパルス幅が変化することにより、点灯負荷８から発生する光の光量及び光色が、ユーザーの指示に応じた光量及び光色に調節される。このように、第１制御信号１４０ａ、及び第２制御信号１４０ｂは、点灯負荷８から発生する光の光量及び光色を第１データ列及び第２データ列に応じて変化させる。
【０１２３】
具体的には、第１制御信号１４０ａ、及び第２制御信号１４０ｂによって、第１ＬＥＤ８１ａ、及び第２ＬＥＤ８１ｂに流れる電流の割合が制御されて、点灯負荷８から発生する光（混光）の光色が調節される。また、第１制御信号１４０ａ、及び第２制御信号１４０ｂによって、第１ＬＥＤ８１ａ、及び第２ＬＥＤ８１ｂに流れる電流の合計値が制御されて、点灯負荷８から発生する光（混光）の光量が調節される。つまり、信号生成部７は、第１ＬＥＤ８１ａ、及び第２ＬＥＤ８１ｂに流れる電流の割合、及び第１ＬＥＤ８１ａ、及び第２ＬＥＤ８１ｂに流れる電流の合計値を制御して、調光調色制御を実行している。
【０１２４】
このように、信号生成部７は、第１ＬＥＤ８１ａ、及び第２ＬＥＤ８１ｂに供給される電力（定電流の電流値）を個別に制御して、点灯負荷８から発生する光の光量及び光色を、切り欠きパターンに応じた光量及び光色にする。
【０１２５】
以上のように実施形態１によれば、専用の信号線を敷設することなく、調光調色制御を実行することができる。
【０１２６】
なお、実施形態１では、スイッチ部３２は、交流電圧の各半波の前側（前半分）の一部を切り欠いたが、スイッチ部３２は、少なくとも１つの半波の前側の全部分（前半分）を切り欠いてもよい。つまり、スイッチ部３２は、少なくとも１つの半波の位相角０°から位相角９０°までの部分を切り欠いてもよい。又は、少なくとも１つの半波は、位相角９０°よりも後側の位置まで切り欠かれた波形を有してもよい。例えば、スイッチ部３２は、少なくとも１つ半波の位相角０°（第１ゼロクロス点１０１）から位相角１３５°（位相角９０°よりも後側の位置）までの部分を切り欠き得る。
【０１２７】
また、実施形態１では、スイッチ部３２が第１ダイオード３２５ａ、及び第２ダイオード３２５ｂを備えたが、第１ダイオード３２５ａ、及び第２ダイオード３２５ｂに替えて、第１ＮｃｈＭＯＳＦＥＴ３２１ａ及び第２ＮｃｈＭＯＳＦＥＴ３２１ｂの寄生ダイオードを利用してもよい。
【０１２８】
また、実施形態１では、制御信号設定区間における交流電圧１１０の波形が、第１の切り欠きパターンに続けて、第２の切り欠きパターンを有したが、制御信号設定区間における交流電圧１１０の波形は、第１の切り欠きパターン及び第２の切り欠きパターンのうちの少なくとも一方のみを有してもよい。
【０１２９】
具体的には、制御信号設定区間における交流電圧１１０の波形は、光量の設定（変更）の際には第１の切り欠きパターンのみを有し、光色の設定（変更）の際には第２の切り欠きパターンのみを有してもよい。第３制御部７２は、交流電圧１１０の波形が第１の切り欠きパターンのみを有する場合、第１の切り欠きパターンに対応する第１データ列を生成する一方で、第２メモリー７２ａから第２データ列を読み出す。同様に、交流電圧１１０の波形が第２の切り欠きパターンのみを有する場合、第３制御部７２は、第２の切り欠きパターンに対応する第２データ列を生成する一方で、第２メモリー７２ａから第１データ列を読み出す。
【０１３０】
（実施形態２）
続いて図１、図２、図６、図１０（ａ）〜図１０（ｄ）、図１１（ａ）、及び図１１（ｂ）を参照して実施形態２について説明する。但し、実施形態１と異なる事項を説明し、実施形態１と同じ事項についての説明は割愛する。実施形態２は、スイッチ部３２の動作が実施形態１と異なる。
【０１３１】
まず図１を参照して、実施形態２に係るスイッチ部３２の動作について説明する。実施形態２において、スイッチ部３２に含まれるスイッチ素子は、電源部３１による電力生成のために、交流電圧１００に含まれる各半波の後半分が入力端子３０１（スイッチ部３２の入力端）に供給されている期間中にオフ状態となる。
【０１３２】
詳しくは、実施形態２の第１制御部３５は、電源部３１において電力が生成されるように、スイッチ部３２に含まれるスイッチ素子を、各ゼロクロス点（各第２ゼロクロス点１０２）よりも早いタイミングでターンオフさせる。この結果、交流電圧１１０の各半波は、後側の一部が切り欠かれた波形となる。スイッチ素子をターンオフさせるタイミングは、交流電圧１００の周波数に応じて設定される。
【０１３３】
また、制御信号設定区間において、少なくとも１つの半波の最大幅が、切り欠きパターンに応じて変化する。詳しくは、スイッチ部３２に含まれるスイッチ素子をターンオフさせるタイミングが、切り欠きパターンに応じて変化する。
【０１３４】
続いて図２、及び図１０（ａ）〜図１０（ｄ）を参照して、実施形態２に係る交流電圧１１０について説明する。図１０（ａ）は、商用電源２から供給される交流電圧１００の波形を示す図である。図１０（ｂ）は、スイッチ部３２を通過した後の交流電圧１１０の波形の一例を示す図である。詳しくは、図１０（ｂ）は、制御信号設定区間における交流電圧１１０の波形を示す。図１０（ｃ）は、図２を参照して説明した第１ゲート駆動部３３１ａが生成する第１駆動信号１２０ａの一例を示す図である。図１０（ｄ）は、図２を参照して説明した第２ゲート駆動部３３１ｂが生成する第２駆動信号１２０ｂの一例を示す図である。
【０１３５】
図１０（ｂ）に示すように、実施形態２に係る第１半波１１１、第２半波１１２、第３半波１１３、及び第４半波１１４はそれぞれ、後側に切り欠きを有する。具体的には、第１半波１１１及び第３半波１１３は、後側に第１切り欠き１１１ａを有し、第２半波１１２及び第４半波１１４は、後側に第２切り欠き１１２ａを有する。
【０１３６】
図１０（ｃ）に示すように、実施形態２に係る第１パルス波１２１は、第１ゼロクロス点１０１のタイミングにおいて立ち上がり、第２ゼロクロス点１０２よりも早いタイミングＴ３において立ち下がる。タイミングＴ３は、位相角９０°から第２ゼロクロス点１０２までの間に設定される。このため、実施形態２に係る第１半波１１１の導通は、タイミングＴ３において遮断される。この結果、第１半波１１１は第１切り欠き１１１ａを有する波形となり、第１半波１１１の最大幅は、第１パルス幅Ｗ１に対応する長さとなる。
【０１３７】
実施形態２に係る第２パルス波１２２は、第１ゼロクロス点１０１のタイミングにおいて立ち上がり、第２ゼロクロス点１０２よりも早いタイミングＴ４において立ち下がる。具体的には、第１ゼロクロス点１０１（半波の開始位置）に対するタイミングＴ４の遅延時間は、第１ゼロクロス点１０１に対するタイミングＴ３の遅延時間よりも短い。なお、タイミングＴ４は、位相角９０°から第２ゼロクロス点１０２までの間に設定される。よって、実施形態２に係る第２半波１１２の導通は、タイミングＴ４において遮断される。この結果、第２半波１１２は第２切り欠き１１２ａを有する波形となり、第２半波１１２の最大幅は、第２パルス幅Ｗ２に対応する長さとなる。したがって、第２半波１１２の最大幅は、第１半波１１１の最大幅よりも小さくなる。
【０１３８】
図１０（ｄ）に示すように、実施形態２に係る第３パルス波１２３は、第１パルス波１２１と同様に、第１ゼロクロス点１０１のタイミングにおいて立ち上がり、タイミングＴ３において立ち下がる。よって、実施形態２に係る第３半波１１３の導通は、第１半波１１１と同様に、タイミングＴ３において遮断される。この結果、第３半波１１３は第１切り欠き１１１ａを有する波形となり、第３半波１１３の最大幅は、第１パルス幅Ｗ１に対応する長さとなる。換言すると、第３半波１１３の最大幅は、第１半波１１１の最大幅と同じ幅となる。
【０１３９】
実施形態２に係る第４パルス波１２４は、第２パルス波１２２と同様に、第１ゼロクロス点１０１のタイミングにおいて立ち上がり、タイミングＴ４において立ち下がる。よって、実施形態２に係る第４半波１１４の導通は、タイミングＴ４において遮断される。この結果、第４半波１１４は第２切り欠き１１２ａを有する波形となり、第４半波１１４の最大幅は、第２パルス幅Ｗ２に対応する長さとなる。換言すると、第４半波１１４の最大幅は、第２半波１１２の最大幅と同じ幅となる。
【０１４０】
以上説明した実施形態２に係る照明制御装置３によれば、制御信号設定区間において、照明器具５の第１入力端子５０１へ供給する交流電圧（交流電圧１１０）の波形を、光量又は光色を示す切り欠きパターンに応じた所定の波形に変化させることができる。
【０１４１】
具体的には、スイッチ部３２の動作により、交流電圧１１０の波形が変化する。詳しくは、制御信号設定区間において、交流電圧１１０の各半波は、その後半分に、切り欠きパターンに応じて、第１切り欠き１１１ａ、又は、第１切り欠き１１１ａとは異なる第２切り欠き１１２ａを有する波形となる。これにより、切り欠きパターンを示す情報が照明制御装置３から照明器具５へ伝達される。
【０１４２】
続いて図６、図１１（ａ）、及び図１１（ｂ）を参照して、実施形態２に係る第３制御部７２が生成するデジタル信号について説明する。図１１（ａ）は、図６を参照して説明した第４ＮｃｈＭＯＳＦＥＴ７１４のゲートに印加される電圧１５０の波形の一例を示す図である。また、図１１（ｂ）は、図６を参照して説明した第３制御部７２の入力端子に入力されるパルス信号１６０の一例を示す図である。詳しくは、図１１（ｂ）は、図１１（ａ）に示す電圧１５０に応じて発生するパルス信号１６０を示す。
【０１４３】
図１１（ａ）に示すように、電圧１５０の波形は、第３切り欠き１５１、及び第４切り欠き１５２を有する。第３切り欠き１５１、及び第４切り欠き１５２は、図１０（ａ）〜図１０（ｄ）を参照して説明した第１切り欠き１１１ａ、及び第２切り欠き１１２ａにそれぞれ対応する。
【０１４４】
また、図１１（ｂ）に示すように、パルス信号１６０は、第５パルス波１６１、及び第６パルス波１６２を含む。第５パルス波１６１は第３パルス幅Ｗ３を有し、第６パルス波１６２は第４パルス幅Ｗ４を有する。第３パルス幅Ｗ３は、第３切り欠き１５１に応じた長さとなり、第４パルス幅Ｗ４は、第４切り欠き１５２に応じた長さとなる。図１０（ａ）〜図１０（ｄ）を参照して説明したように、第１切り欠き１１１ａを有する半波の最大幅は、第２切り欠き１１２ａを有する半波の最大幅よりも大きい。このため、第３パルス幅Ｗ３は、第４パルス幅Ｗ４よりも小さくなる。
【０１４５】
したがって、第３制御部７２は、実施形態１と同様に、第３パルス幅Ｗ３に対応して値が「０」となり、第４パルス幅Ｗ４に対応して値が「１」となるデジタル信号を生成することができる。（図１１（ｂ）参照）。
【０１４６】
以上説明した実施形態２に係る照明システム１によれば、照明制御装置３から照明器具５へ切り欠きパターンを示す情報を伝達して、切り欠きパターンに応じた光量及び光色の光を照明器具５から出射させることが可能となる。したがって、実施形態２によれば、専用の信号線を敷設することなく、調光調色制御を実行することができる。また、実施形態２によれば、各半波は後側にのみ切り欠きを有するため、電磁ノイズや騒音を低減させることができる。
【０１４７】
なお、実施形態２では、スイッチ部３２は、交流電圧の各半波の後側（後半分）の一部を切り欠いたが、スイッチ部３２は、少なくとも１つの半波の後側の全部分（後半分）を切り欠いてもよい。つまり、スイッチ部３２は、少なくとも１つの半波の位相角９０°から位相角１８０°までの部分を切り欠いてもよい。又は、少なくとも１つの半波は、位相角９０°よりも前側の位置から第２ゼロクロス点１０２まで切り欠かれた波形を有してもよい。例えば、スイッチ部３２は、少なくとも１つの半波の位相角４５°（位相角９０°よりも前側の位置）から位相角１８０°（第２ゼロクロス点１０２）までの部分を切り欠き得る。
【０１４８】
（実施形態３）
続いて図１、図２、図６、図１２（ａ）〜図１２（ｄ）、図１３（ａ）、及び図１３（ｂ）を参照して実施形態３について説明する。但し、実施形態１及び実施形態２と異なる事項を説明し、実施形態１及び実施形態２と同じ事項についての説明は割愛する。実施形態３は、スイッチ部３２の動作が実施形態１及び実施形態２と異なる。
【０１４９】
まず図１を参照して、実施形態３に係るスイッチ部３２の動作について説明する。実施形態３において、スイッチ部３２に含まれるスイッチ素子は、電源部３１による電力生成のために、交流電圧１００に含まれる各半波の前半分が入力端子３０１（スイッチ部３２の入力端）に供給されている期間中にオフ状態となる。
【０１５０】
詳しくは、実施形態３の第１制御部３５は、電源部３１において電力が生成されるように、スイッチ部３２に含まれるスイッチ素子を、各ゼロクロス点（各第１ゼロクロス点１０１）よりも遅いタイミングでターンオンさせる。この結果、交流電圧１１０の各半波は、前側の一部が切り欠かれた波形となる。スイッチ素子をターンオンさせるタイミングは、交流電圧１００の周波数に応じて設定される。
【０１５１】
また、制御信号設定区間において、少なくとも１つの半波の最大幅が、切り欠きパターンに応じて変化する。詳しくは、実施形態３の第１制御部３５は、切り欠きパターンに応じて、少なくとも１つ半波の前側の一部及び後側の一部が切り欠かれるように、スイッチ部３２を制御する。
【０１５２】
続いて図２、及び図１２（ａ）〜図１２（ｄ）を参照して、実施形態３に係る交流電圧１１０について説明する。図１２（ａ）は、商用電源２から供給される交流電圧１００の波形を示す図である。図１２（ｂ）は、スイッチ部３２を通過した後の交流電圧１１０の波形の一例を示す図である。詳しくは、図１２（ｂ）は、制御信号設定区間における交流電圧１１０の波形を示す。図１２（ｃ）は、図２を参照して説明した第１ゲート駆動部３３１ａが生成する第１駆動信号１２０ａの一例を示す図である。図１２（ｄ）は、図２を参照して説明した第２ゲート駆動部３３１ｂが生成する第２駆動信号１２０ｂの一例を示す図である。
【０１５３】
図１２（ｂ）に示すように、実施形態３に係る第１半波１１１、第２半波１１２、第３半波１１３、及び第４半波１１４は、少なくとも前側に切り欠きを有する。具体的には、第１半波１１１及び第３半波１１３は、前側にのみ第１切り欠き１１１ａを有する。一方、第２半波１１２及び第４半波１１４は、前側に第１切り欠き１１１ａを有し、後側に第２切り欠き１１２ａを有する。
【０１５４】
図１２（ｃ）に示すように、実施形態３に係る第１パルス波１２１は、第１ゼロクロス点１０１よりも遅いタイミングＴ５において立ち上がり、第２ゼロクロス点１０２のタイミングにおいて立ち下がる。タイミングＴ５は、第１ゼロクロス点１０１から位相角９０°までの間に設定される。このため、実施形態３に係る第１半波１１１の導通は、タイミングＴ５から開始され、第２ゼロクロス点１０２のタイミングにおいて遮断される。この結果、第１半波１１１は第１切り欠き１１１ａを有する波形となる。
【０１５５】
実施形態３に係る第２パルス波１２２は、タイミングＴ５において立ち上がり、第２ゼロクロス点１０２よりも早いタイミングＴ６において立ち下がる。タイミングＴ６は、位相角９０°から第２ゼロクロス点１０２までの間に設定される。このため、実施形態３に係る第２半波１１２の導通は、タイミングＴ５において開始され、タイミングＴ６において遮断される。この結果、第２半波１１２は、第１切り欠き１１１ａ及び第２切り欠き１１２ａを有する波形となる。
【０１５６】
図１２（ｄ）に示すように、実施形態３に係る第３パルス波１２３は、第１パルス波１２１と同様に、タイミングＴ５において立ち上がり、第２ゼロクロス点１０２のタイミングにおいて立ち下がる。このため、実施形態３に係る第３半波１１３の導通は、第１半波１１１と同様に、タイミングＴ５において開始され、第２ゼロクロス点１０２のタイミングで遮断される。この結果、第１半波１１１と同様に、第３半波１１３は第１切り欠き１１１ａを有する波形となる。
【０１５７】
実施形態３に係る第４パルス波１２４は、第２パルス波１２２と同様に、タイミングＴ５において立ち上がり、タイミングＴ６において立ち下がる。このため、実施形態３に係る第４半波１１４の導通は、タイミングＴ５において開始され、タイミングＴ６で遮断される。この結果、第４半波１１４は、第２半波１１２と同様に、第１切り欠き１１１ａ及び第２切り欠き１１２ａを有する波形となる。
【０１５８】
以上説明した実施形態３に係る照明制御装置３によれば、制御信号設定区間において、照明器具５の第１入力端子５０１へ供給する交流電圧（交流電圧１１０）の波形を、光量又は光色を示す切り欠きパターンに応じた所定の波形に変化させることができる。
【０１５９】
具体的には、スイッチ部３２の動作により、交流電圧１１０の波形が変化する。詳しくは、制御信号設定区間において、少なくとも１つの半波が、切り欠きパターンに応じて、前半分に第１切り欠き１１１ａを有し、後半分に第２切り欠き１１２ａを有する波形となる。これにより、切り欠きパターンを示す情報が照明制御装置３から照明器具５へ伝達される。
【０１６０】
続いて図６、図１３（ａ）、及び図１３（ｂ）を参照して、実施形態３に係る第３制御部７２が生成するデジタル信号について説明する。図１３（ａ）は、図６を参照して説明した第４ＮｃｈＭＯＳＦＥＴ７１４のゲートに印加される電圧１５０の波形の一例を示す図である。また、図１３（ｂ）は、図６を参照して説明した第３制御部７２の入力端子に入力されるパルス信号１６０の一例を示す図である。詳しくは、図１３（ｂ）は、図１３（ａ）に示す電圧１５０に応じて発生するパルス信号１６０を示す。
【０１６１】
図１３（ａ）に示すように、電圧１５０の波形は、第３切り欠き１５１、及び第４切り欠き１５２を有する。第３切り欠き１５１、及び第４切り欠き１５２は、図１２（ａ）〜図１２（ｄ）を参照して説明した第１切り欠き１１１ａ、及び第２切り欠き１１２ａにそれぞれ対応する。
【０１６２】
また、図１３（ｂ）に示すように、パルス信号１６０は、第５パルス波１６１、及び第６パルス波１６２を含む。第５パルス波１６１は第３パルス幅Ｗ３を有し、第６パルス波１６２は第４パルス幅Ｗ４を有する。第３パルス幅Ｗ３は、第３切り欠き１５１に応じた長さとなり、第４パルス幅Ｗ４は、隣り合う第３切り欠き１５１と第４切り欠き１５２とに応じた長さとなる。この結果、第３パルス幅Ｗ３は、第４パルス幅Ｗ４よりも小さくなる。
【０１６３】
したがって、第３制御部７２は、実施形態１と同様に、第３パルス幅Ｗ３に対応して値が「０」となり、第４パルス幅Ｗ４に対応して値が「１」となるデジタル信号を生成することができる。（図１３（ｂ）参照）。
【０１６４】
以上説明した実施形態３に係る照明システム１によれば、照明制御装置３から照明器具５へ切り欠きパターンを示す情報を伝達して、切り欠きパターンに応じた光量及び光色の光を照明器具５から出射させることが可能となる。したがって、実施形態３によれば、専用の信号線を敷設することなく、調光調色制御を実行することができる。
【０１６５】
（実施形態４）
続いて図１、図２、図６、図１４（ａ）〜図１４（ｄ）、図１５（ａ）、及び図１５（ｂ）を参照して実施形態４について説明する。但し、実施形態１〜実施形態３と異なる事項を説明し、実施形態１〜実施形態３と同じ事項についての説明は割愛する。実施形態４は、スイッチ部３２の動作が実施形態１〜実施形態３と異なる。
【０１６６】
まず図１を参照して、実施形態４に係るスイッチ部３２の動作について説明する。実施形態４において、スイッチ部３２に含まれるスイッチ素子は、電源部３１による電力生成のために、交流電圧１００に含まれる各半波の後半分が入力端子３０１（スイッチ部３２の入力端）に供給されている期間中にオフ状態となる。
【０１６７】
詳しくは、実施形態４の第１制御部３５は、電源部３１において電力が生成されるように、スイッチ部３２に含まれるスイッチ素子を、各ゼロクロス点（各第２ゼロクロス点１０２）よりも早いタイミングでターンオフさせる。この結果、交流電圧１１０の各半波は、後側の一部が切り欠かれた波形となる。スイッチ素子をターンオフさせるタイミングは、交流電圧１００の周波数に応じて設定される。
【０１６８】
また、制御信号設定区間において、少なくとも１つの半波の最大幅が、切り欠きパターンに応じて変化する。詳しくは、実施形態４の第１制御部３５は、切り欠きパターンに応じて、少なくとも１つ半波の前側の一部及び後側の一部が切り欠かれるように、スイッチ部３２を制御する。
【０１６９】
続いて図２、及び図１４（ａ）〜図１４（ｄ）を参照して、実施形態４に係る交流電圧１１０について説明する。図１４（ａ）は、商用電源２から供給される交流電圧１００の波形を示す図である。図１４（ｂ）は、スイッチ部３２を通過した後の交流電圧１１０の波形の一例を示す図である。詳しくは、図１４（ｂ）は、制御信号設定区間における交流電圧１１０の波形を示す。図１４（ｃ）は、図２を参照して説明した第１ゲート駆動部３３１ａが生成する第１駆動信号１２０ａの一例を示す図である。図１４（ｄ）は、図２を参照して説明した第２ゲート駆動部３３１ｂが生成する第２駆動信号１２０ｂの一例を示す図である。
【０１７０】
図１４（ｂ）に示すように、実施形態４に係る第１半波１１１、第２半波１１２、第３半波１１３、及び第４半波１１４は、少なくとも後側に切り欠きを有する。具体的には、第１半波１１１及び第３半波１１３は、後側にのみ第１切り欠き１１１ａを有する。一方、第２半波１１２及び第４半波１１４は、後側に第１切り欠き１１１ａを有し、前側に第２切り欠き１１２ａを有する。
【０１７１】
図１４（ｃ）に示すように、実施形態４に係る第１パルス波１２１は、第１ゼロクロス点１０１のタイミングにおいて立ち上がり、第２ゼロクロス点１０２よりも早いタイミングＴ７において立ち下がる。タイミングＴ７は、位相角９０°から第２ゼロクロス点１０２までの間に設定される。このため、実施形態４に係る第１半波１１１の導通は、第１ゼロクロス点１０１のタイミングにおいて開始され、タイミングＴ７において遮断される。この結果、第１半波１１１は第１切り欠き１１１ａを有する波形となる。
【０１７２】
実施形態４に係る第２パルス波１２２は、第１ゼロクロス点１０１よりも遅いタイミングＴ８において立ち上がり、タイミングＴ７において立ち下がる。タイミングＴ８は、第１ゼロクロス点１０１から位相角９０°までの間に設定される。このため、実施形態４に係る第２半波１１２の導通は、タイミングＴ８において開始され、タイミングＴ７において遮断される。この結果、第２半波１１２は、第１切り欠き１１１ａ及び第２切り欠き１１２ａを有する波形となる。
【０１７３】
図１４（ｄ）に示すように、実施形態４に係る第３パルス波１２３は、第１パルス波１２１と同様に、第１ゼロクロス点１０１のタイミングにおいて立ち上がり、タイミングＴ７において立ち下がる。このため、実施形態４に係る第３半波１１３の導通は、第１ゼロクロス点１０１のタイミングで開始され、タイミングＴ７において遮断される。この結果、第１半波１１１と同様に、第３半波１１３は第１切り欠き１１１ａを有する波形となる。
【０１７４】
実施形態４に係る第４パルス波１２４は、第２パルス波１２２と同様に、タイミングＴ８において立ち上がり、タイミングＴ７において立ち下がる。このため、実施形態３に係る第４半波１１４の導通は、タイミングＴ８において開始され、タイミングＴ７において遮断される。この結果、第４半波１１４は、第２半波１１２と同様に、第１切り欠き１１１ａ及び第２切り欠き１１２ａを有する波形となる。
【０１７５】
以上説明した実施形態４に係る照明制御装置３によれば、制御信号設定区間において、照明器具５の第１入力端子５０１へ供給する交流電圧（交流電圧１１０）の波形を、光量又は光色を示す切り欠きパターンに応じた所定の波形に変化させることができる。
【０１７６】
具体的には、スイッチ部３２の動作により、交流電圧１１０の波形が変化する。詳しくは、制御信号設定区間において、少なくとも１つの半波が、切り欠きパターンに応じて、後半分に第１切り欠き１１１ａを有し、前半分に第２切り欠き１１２ａを有する波形となる。これにより、切り欠きパターンを示す情報が照明制御装置３から照明器具５へ伝達される。
【０１７７】
続いて図６、図１５（ａ）、及び図１５（ｂ）を参照して、実施形態４に係る第３制御部７２が生成するデジタル信号について説明する。図１５（ａ）は、図６を参照して説明した第４ＮｃｈＭＯＳＦＥＴ７１４のゲートに印加される電圧１５０の波形の一例を示す図である。また、図１５（ｂ）は、図６を参照して説明した第３制御部７２の入力端子に入力されるパルス信号１６０の一例を示す図である。詳しくは、図１５（ｂ）は、図１５（ａ）に示す電圧１５０に応じて発生するパルス信号１６０を示す。
【０１７８】
図１５（ａ）に示すように、電圧１５０の波形は、第３切り欠き１５１、及び第４切り欠き１５２を有する。第３切り欠き１５１、及び第４切り欠き１５２は、図１４（ａ）〜図１４（ｄ）を参照して説明した第１切り欠き１１１ａ、及び第２切り欠き１１２ａにそれぞれ対応する。
【０１７９】
また、図１５（ｂ）に示すように、パルス信号１６０は、第５パルス波１６１、及び第６パルス波１６２を含む。第５パルス波１６１は第３パルス幅Ｗ３を有し、第６パルス波１６２は第４パルス幅Ｗ４を有する。第３パルス幅Ｗ３は、第３切り欠き１５１に応じた長さとなり、第４パルス幅Ｗ４は、隣り合う第３切り欠き１５１と第４切り欠き１５２とに応じた長さとなる。この結果、第３パルス幅Ｗ３は、第４パルス幅Ｗ４よりも小さくなる。
【０１８０】
したがって、第３制御部７２は、実施形態１と同様に、第３パルス幅Ｗ３に対応して値が「０」となり、第４パルス幅Ｗ４に対応して値が「１」となるデジタル信号を生成することができる。（図１５（ｂ）参照）。
【０１８１】
以上説明した実施形態４に係る照明システム１によれば、照明制御装置３から照明器具５へ切り欠きパターンを示す情報を伝達して、切り欠きパターンに応じた光量及び光色の光を照明器具５から出射させることが可能となる。したがって、実施形態４によれば、専用の信号線を敷設することなく、調光調色制御を実行することができる。また、実施形態４によれば、制御信号設定区間においてのみ、少なくとも１つの半波が前側に切り欠きを有する半波となるため、電磁ノイズや騒音を低減させることができる。
【０１８２】
（実施形態５）
続いて図１６及び図１７を参照して、実施形態５について説明する。但し、実施形態１〜実施形態４と異なる事項を説明し、実施形態１〜実施形態４と同じ事項についての説明は割愛する。実施形態５は、照明システム１が複数の照明器具を備える点で、実施形態１〜実施形態４と異なる。
【０１８３】
図１６は、実施形態５に係る照明システム１の概略構成を示す図である。図１６に示すように、照明システム１は複数の照明器具５ａを備える。図１７は、実施形態５に係る照明器具５ａの要部を示すブロック図である。照明器具５ａは、第１出力端子５０１ｂ、及び第２出力端子５０２ｂを備える点で、図１に示す照明器具５と異なる。なお、図１７に示す２つの入力端子５０１ａ、５０２ａは、図１に示す２つの入力端子（第１入力端子５０１、第２入力端子５０２）にそれぞれ対応する。
【０１８４】
第１出力端子５０１ｂは、電力線である第１配線５１１を介して、第１入力端子５０１ａと電気的に接続し、第２出力端子５０２ｂは、電力線である第２配線５１２を介して、第２入力端子５０２ａと電気的に接続する。また、第１入力端子５０１ａは、第１電力線４ａを介して、前段の照明制御装置３の出力端子３０２（図１参照）又は前段の照明器具５ａの第１出力端子５０１ｂと電気的に接続する。第２入力端子５０２ａは、第２電力線４ｂを介して、商用電源２（図１参照）の他端又は前段の照明器具５ａの第２出力端子５０２ｂと電気的に接続する。
【０１８５】
したがって、複数の照明器具５ａは並列に接続されており、各照明器具５ａから発生する光の光量及び光色を設定する信号（切り欠きパターンを示す情報）が、照明制御装置３から第１配線５１１及び第２配線５１２を介して各照明器具５ａへ一括して送信される。
【０１８６】
以上のように、実施形態５によれば、制御用の信号線を敷設することなく、１つの照明制御装置３によって、複数の照明器具５ａから発生する光の光量及び光色を一括して制御することができる。
【０１８７】
（実施形態６）
続いて図１８及び図１９を参照して、実施形態６について説明する。但し、実施形態１〜実施形態５と異なる事項を説明し、実施形態１〜実施形態５と同じ事項についての説明は割愛する。実施形態６は、照明システム１が２系統の照明器具群を備える点で、実施形態１〜実施形態５と異なる。
【０１８８】
図１８は、実施形態６に係る照明システム１の概略構成を示す図である。図１８に示すように、照明システム１は、第１系統５１の照明器具群と、第２系統５２の照明器具群とを備える。具体的には、第１系統５１及び第２系統５２はそれぞれ複数の照明器具５ａを含む。
【０１８９】
図１８に示す照明システム１において、各系統に含まれる複数の照明器具５ａは、系統ごとに並列に接続されている。これにより、照明制御装置３は、系統ごとに、各照明器具５ａを一括して制御することができる。
【０１９０】
図１９は、実施形態６に係る照明制御装置３の要部を示すブロック図である。図１９に示すように、実施形態６の照明制御装置３は、第１スイッチ部３２ａ、第２スイッチ部３２ｂ、第１スイッチ部３２ａを駆動する第１駆動部３３ａ、第２スイッチ部３２ｂを駆動する第２駆動部３３ｂ、第１出力端子３０２ａ、及び第２出力端子３０２ｂを備える点で、図１に示す照明制御装置３と異なる。
【０１９１】
第１スイッチ部３２ａは入力端子３０１と第１出力端子３０２ａとの間に直列に接続されており、第２スイッチ部３２ｂは入力端子３０１と第２出力端子３０２ｂとの間に直列に接続されている。そして、第１出力端子３０２ａに対し、第１系統５１に含まれる各照明器具５ａが並列に接続し、第２出力端子３０２ｂに対し、第２系統５２に含まれる各照明器具５ａが並列に接続している。
【０１９２】
したがって、第１制御部３５が、第１駆動部３３ａを介して第１スイッチ部３２ａを制御することにより、第１系統５１に含まれる各照明器具５ａから発生する光の光量及び光色を一括して制御することができる。同様に、第１制御部３５が、第２駆動部３３ｂを介して第２スイッチ部３２ｂを制御することにより、第２系統５２に含まれる各照明器具５ａから発生する光の光量及び光色を一括して制御することができる。
【０１９３】
なお、実施形態６では、各系統に複数の照明器具５ａが含まれる場合について説明したが、各系統に含まれる照明器具の台数は１台であってもよい。また、実施形態６では、１つの照明制御装置３によって２系統の照明器具群を制御する場合について説明したが、系統の数は２系統に限定されるものではなく、スイッチ部、駆動部、及び出力端子の数を増加させることにより、１つの照明制御装置３によって３系統以上の照明器具群を制御することが可能となる。
【０１９４】
以上、本発明の具体的な実施形態を説明したが、本発明は上記各実施形態に限定されるものではなく、上記各実施形態に種々の改変を施すことができる。
【０１９５】
例えば、本発明による実施形態では、商用電源２から電力が供給されたが、照明制御装置３及び照明器具５に電力を供給する外部電源は商用電源２に限定されるものではなく、自家発電機等であってもよい。
【０１９６】
また、本発明による実施形態では、信号生成部７が、第３パルス幅Ｗ３に対応して値が「０」となり、第４パルス幅Ｗ４に対応して値が「１」となるデジタル信号を発生させる形態について説明したが、信号生成部７は、第３パルス幅Ｗ３に対応して値が「１」となり、第４パルス幅Ｗ４に対応して値が「０」となるデジタル信号を発生させてもよい。
【０１９７】
また、本発明による実施形態では、照明制御装置３が調光調色制御を実行する形態について説明したが、照明制御装置３は、調光制御及び調色制御のうちのいずれか一方の制御のみを実行する構成であってもよい。
【０１９８】
また、本発明による実施形態では、照明素子がＬＥＤであったが、照明素子はＬＥＤに限定されるものではなく、例えば有機ＥＬ素子であってもよい。
【０１９９】
また、本発明による実施形態では、点灯負荷８が２色のＬＥＤを含む形態について説明したが、色数は特に限定されるものではなく、調色を実現するために３色以上のＬＥＤが使用されてもよい。あるいは、点灯負荷８は、１色のＬＥＤのみを含んでもよい。１色のＬＥＤの数は、１個以上である。この場合、調光制御のみが実施される。
【０２００】
また、本発明による実施形態では、光色を示す切り欠きパターン、及び、光量を示す切り欠きパターンについて説明したが、切り欠きパターンは、他の情報を示し得る。
【０２０１】
例えば、照明制御装置３によって制御される各照明器具５ａにアドレスが設定されている場合、照明制御装置３から各照明器具５ａの第１入力端子５０１ａへ伝送される交流電圧（交流電圧１１０）の波形は、制御対象のアドレスを示す切り欠きパターンを有してもよい。この場合、各照明器具５ａの信号生成部７は、交流電圧１１０の波形が、自己に設定されたアドレスを示す切り欠きパターンを有するか否かを判定する。その判定の結果、切り欠きパターンが、自己に設定されたアドレスを示す場合に、光量を示す切り欠きパターン及び／又は光色を示す切り欠きパターンに応じて、第１デジタル信号及び／又は第２デジタル信号を生成する構成であり得る。
【０２０２】
また例えば、照明制御装置３から照明器具の第１入力端子へ伝送される交流電圧（交流電圧１１０）の波形は、タイマー時間を示す切り欠きパターンを有してもよい。タイマー時間を示す切り欠きパターンを受け付けた照明器具は、例えば、タイマー時間経過後に消灯する構成であり得る。
【０２０３】
また、本発明による実施形態では、スイッチ部３２が２つのＮｃｈＭＯＳＦＥＴを備える構成について説明したが、スイッチ部３２はこの構成に限定されない。例えば、スイッチ部３２は、スイッチ素子として、２つのバイポーラ型トランジスタ、又は２つの絶縁ゲートバイポーラ型トランジスタ（ＩＧＢＴ）を備え得る。あるいは、実施形態１で説明したように、各半波の前側のみをスイッチ部３２によって切り欠く場合、スイッチ部３２は、スイッチ素子として、双方向サイリスタ（所謂トライアック）を備え得る。
【０２０４】
また、本発明による実施形態では、照明制御装置３が表示部３７を備える構成について説明したが、照明制御装置３は表示部３７を備えない構成であってもよい。
【符号の説明】
【０２０５】
１        照明システム
２        商用電源（外部電源）
３        照明制御装置
５        照明器具
５ａ      照明器具
６        点灯電力供給部
７        信号生成部
８        点灯負荷
３１      電源部
３２      スイッチ部
３２ａ    第１スイッチ部
３２ｂ    第２スイッチ部
３５ａ    第１メモリー（記憶部）
８１      ＬＥＤ（照明素子）
８１ａ    第１ＬＥＤ（照明素子）
８１ｂ    第２ＬＥＤ（照明素子）
１００    交流電圧
１１０    交流電圧
１１１    第１半波
１１１ａ  第１切り欠き
１１２    第２半波
１１２ａ  第２切り欠き
１１３    第３半波
１１４    第４半波
１４０ａ  第１制御信号
１４０ｂ  第２制御信号
１５０    電圧
１５１    第３切り欠き
１５２    第４切り欠き
３０１    入力端子
３０２    出力端子
３０２ａ  第１出力端子
３０２ｂ  第２出力端子
３２１ａ  第１ＮｃｈＭＯＳＦＥＴ（半導体スイッチ）
３２１ｂ  第２ＮｃｈＭＯＳＦＥＴ（半導体スイッチ）
５０１    第１入力端子
５０１ａ  第１入力端子
５０２    第２入力端子
５０２ａ  第２入力端子
【図１】
2017183169.tif 000003
【図２】
2017183169.tif 000004
【図３】
2017183169.tif 000005
【図４】
2017183169.tif 000006
【図５】
2017183169.tif 000007
【図６】
2017183169.tif 000008
【図７】
2017183169.tif 000009
【図８】
2017183169.tif 000010
【図９】
2017183169.tif 000011
【図１０】
2017183169.tif 000012
【図１１】
2017183169.tif 000013
【図１２】
2017183169.tif 000014
【図１３】
2017183169.tif 000015
【図１４】
2017183169.tif 000016
【図１５】
2017183169.tif 000017
【図１６】
2017183169.tif 000018
【図１７】
2017183169.tif 000019
【図１８】
2017183169.tif 000020
【図１９】
2017183169.tif 000021
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
照明制御装置と照明器具とを備える照明システムであって、
前記照明制御装置は、
交流電圧を供給する外部電源の一端に接続する入力端子と、
前記照明器具に接続する出力端子と、
切り欠きパターンを記憶する記憶部と、
前記入力端子及び前記出力端子に接続する入力端及び出力端を有し、前記交流電圧の半波の後側を切り欠くスイッチ部と、
前記スイッチ部の入力端及び出力端に接続して、前記スイッチ部が前記交流電圧の半波の後側を切欠いている期間に前記照明制御装置の電力を生成する電源部と
を備え、前記スイッチ部は、制御信号設定区間において、前記切り欠きパターンに応じて、前記半波のうちの少なくとも１つの半波の前側及び後側を切り欠き、
前記照明器具は、
前記出力端子に接続する第１入力端子と、
前記外部電源の他端に、前記照明制御装置を介すことなく接続する第２入力端子と、
前記第１入力端子及び前記第２入力端子に接続して、点灯負荷に電力を供給する点灯電力供給部と、
前記点灯電力供給部の動作を制御する制御信号を生成する信号生成部と
を備え、
前記スイッチ部が、前記切り欠きパターンに応じて前記交流電圧の半波を切り欠くことにより、前記切り欠きパターンを示す情報が前記信号生成部へ伝達され、
前記信号生成部は、前記切り欠きパターンに対応する前記制御信号を生成する、照明システム。
【請求項２】
前記スイッチ部は、相補的に接続された第１半導体スイッチ素子及び第２半導体スイッチ素子を含み、
前記第１半導体スイッチ素子は前記入力端を有し、前記半波の前側に対してターンオン及びターンオフし、
前記第２半導体スイッチ素子は前記出力端を有し、前記半波の後側に対してターンオン及びターンオフし、
前記第１半導体スイッチ素子は、前記制御信号設定区間において、前記切り欠きパターンに応じて、少なくとも１つの前記半波の前側を切り欠き、
前記第２半導体スイッチ素子は、前記半波の後側を切欠く、請求項１に記載の照明システム。
【請求項３】
前記点灯負荷は、互いに光色の異なる光を出射する複数色の照明素子を含み、
前記複数色の照明素子の各々から出射される光が混光されて、前記照明器具から任意の光色の光が出射される、請求項１又は２に記載の照明システム。
【請求項４】
前記切り欠きパターンは、光色を示す切り欠きパターンを含み、
前記制御信号によって、前記複数色の照明素子に流れる電流が制御されて、前記点灯負荷から発生する光の光色が調節される、請求項３に記載の照明システム。
【請求項５】
前記切り欠きパターンは、光量を示す切り欠きパターンを含み、
前記制御信号によって、前記複数色の照明素子に流れる電流が制御されて、前記点灯負荷から発生する光の光量が調節される、請求項３又は４に記載の照明システム。
【請求項６】
前記点灯負荷は、照明素子を含み、
前記切り欠きパターンは、光量を示す切り欠きパターンを含み、
前記制御信号によって、前記照明素子に流れる電流が制御されて、前記点灯負荷から発生する光の光量が調節される、請求項１又は２に記載の照明システム。
【請求項７】
前記照明器具を複数備え、
複数の前記照明器具が並列接続されており、かつ、前記照明器具の各々にアドレスが設定されており、
前記照明器具の各々の前記信号生成部は、前記切り欠きパターンが自己のアドレスと同一のアドレスを示すか否かを判定する、請求項１〜６のいずれか１項に記載の照明システム。
【請求項８】
照明器具が備える２つの入力端子のうちの一方の入力端子に接続する照明制御装置であって、
交流電圧を供給する外部電源の一端に接続する入力端子と、
前記照明器具の前記一方の入力端子に接続する出力端子と、
切り欠きパターンを記憶する記憶部と、
前記入力端子及び前記出力端子に接続する入力端及び出力端を有し、前記交流電圧の半波の後側を切り欠くスイッチ部と、
前記スイッチ部の入力端及び出力端に接続して、前記スイッチ部が前記交流電圧の半波の後側を切欠いている期間に前記照明制御装置の電力を生成する電源部と
を備え、前記スイッチ部は、制御信号設定区間において、前記切り欠きパターンに応じて、前記半波のうちの少なくとも１つの半波の前側及び後側を切り欠く、照明制御装置。
【手続補正２】
【補正対象書類名】明細書
【補正対象項目名】００１４
【補正方法】変更
【補正の内容】
【００１４】
本願に開示する照明システムは、照明制御装置と、照明器具とを備える。前記照明制御装置は、入力端子と、出力端子と、記憶部と、スイッチ部と、電源部とを備える。前記入力端子は、交流電圧を供給する外部電源の一端と接続する。前記出力端子は、前記照明器具に接続する。前記記憶部は、切り欠きパターンを記憶する。前記スイッチ部は、前記入力端子及び前記出力端子に接続する入力端及び出力端を有し、前記交流電圧の半波の後側を切り欠く。前記電源部は、前記スイッチ部の入力端及び出力端に接続して、前記スイッチ部が前記交流電圧の半波の後側を切欠いている期間に前記照明制御装置の電力を生成する。更に、前記スイッチ部は、制御信号設定区間において、前記切り欠きパターンに応じて、前記半波のうちの少なくとも１つの半波の前側及び後側を切り欠く。前記照明器具は、第１入力端子と、第２入力端子と、点灯電力供給部と、信号生成部とを備える。前記第１入力端子は、前記出力端子に接続する。前記第２入力端子は、前記外部電源の他端に、前記照明制御装置を介すことなく接続する。前記点灯電力供給部は、前記第１入力端子及び前記第２入力端子に接続して、点灯負荷に電力を供給する。前記信号生成部は、前記点灯電力供給部の動作を制御する制御信号を生成する。前記スイッチ部が、前記切り欠きパターンに応じて前記交流電圧の半波を切り欠くことにより、前記交流電圧によって前記切り欠きパターンを示す情報が前記信号生成部へ伝達される。前記信号生成部は、前記切り欠きパターンに対応する前記制御信号を生成する。
本願に開示する照明システムにおいて、前記スイッチ部は、相補的に接続された第１半導体スイッチ素子及び第２半導体スイッチ素子を含んでもよい。前記第１半導体スイッチ素子は前記入力端を有し、前記半波の前側に対してターンオン及びターンオフしてもよい。前記第２半導体スイッチ素子は前記出力端を有し、前記半波の後側に対してターンオン及びターンオフしてもよい。前記第１半導体スイッチ素子は、前記制御信号設定区間において、前記切り欠きパターンに応じて、少なくとも１つの前記半波の前側を切り欠いてもよい。前記第２半導体スイッチ素子は、前記半波の後側を切欠いてもよい。
【手続補正３】
【補正対象書類名】明細書
【補正対象項目名】００２０
【補正方法】変更
【補正の内容】
【００２０】
本願に開示する照明制御装置は、照明器具が備える２つの入力端子のうちの一方の入力端子に接続する。前記照明制御装置は、入力端子と、出力端子と、記憶部と、スイッチ部と、電源部とを備える。前記入力端子は、交流電圧を供給する外部電源の一端に接続する。前記出力端子は、前記照明器具の前記一方の入力端子に接続する。前記記憶部は、切り欠きパターンを記憶する。前記スイッチ部は、前記入力端子及び前記出力端子に接続する入力端及び出力端を有し、前記交流電圧の半波の後側を切り欠く。前記電源部は、前記スイッチ部の入力端及び出力端に接続して、前記スイッチ部が前記交流電圧の半波の後側を切欠いている期間に前記照明制御装置の電力を生成する。更に、前記スイッチ部は、制御信号設定区間において、前記切り欠きパターンに応じて、前記半波のうちの少なくとも１つの半波の前側及び後側を切り欠く。